(57)【要約】  本技術は、シングルエンドの回路構成により、画素信号の電源ノイズを削減することができるようにする固体撮像装置、固体撮像装置の駆動方法、及び、電子機器に関する。固体撮像装置は、光電変換を行う複数の単位画素が配置されている画素部と、単位画素の駆動に用いる電源のノイズ成分を検出し、ノイズ成分をキャンセルするキャンセル成分を含むシングルエンドのキャンセル信号を出力する電源ノイズ検出部と、単位画素から出力されるシングルエンドの画素信号をサンプリングし、キャンセル信号に基づいて、サンプリングした画素信号からノイズ成分を除去した画素信号をホールドして出力するサンプルアンドホールド部と、ホールドされた画素信号のＡ／Ｄ変換を行うＡ／Ｄ変換部とを備える。本技術は、例えば、ＣＭＯＳイメージセンサに適用できる。
2017030007.tif 000002
【特許請求の範囲】
【請求項１】
光電変換を行う複数の単位画素が配置されている画素部と、
前記単位画素の駆動に用いる電源のノイズ成分を検出し、前記ノイズ成分をキャンセルするキャンセル成分を含むシングルエンドのキャンセル信号を出力する電源ノイズ検出部と、
前記単位画素から出力されるシングルエンドの画素信号をサンプリングし、前記キャンセル信号に基づいて、サンプリングした前記画素信号から前記ノイズ成分を除去した前記画素信号をホールドして出力するサンプルアンドホールド部と、
ホールドされた前記画素信号のＡ／Ｄ（Analog/Digital）変換を行うＡ／Ｄ変換部と
を備える固体撮像装置。
【請求項２】
前記電源ノイズ検出部は、
前記画素信号に基づく電荷を蓄積する第１の電荷蓄積部と、
前記第１の電荷蓄積部と基準電位が共通であり、前記キャンセル信号に基づく電荷を蓄積する第２の電荷蓄積部と
を備える請求項１に記載の固体撮像装置。
【請求項３】
前記第２の電荷蓄積部は、前記画素信号のサンプル期間に、前記画素信号の前記ノイズ成分により前記第１の電荷蓄積部に蓄積される電荷であるノイズ電荷とほぼ同量の電荷であるキャンセル電荷を前記キャンセル信号の前記キャンセル成分により蓄積する
請求項２に記載の固体撮像装置。
【請求項４】
前記サンプルアンドホールド部は、前記サンプル期間に前記第１の電荷蓄積部に蓄積された前記ノイズ電荷と前記第２の電荷蓄積部に蓄積された前記キャンセル電荷を、前記画素信号のホールド期間に相殺する
請求項３に記載の固体撮像装置。
【請求項５】
前記キャンセル成分は、前記ノイズ成分を所定のゲインで増幅した成分であり、
前記第２の電荷蓄積部の容量が、前記ゲインに相当する分だけ前記第１の電荷蓄積部の容量より小さい
請求項２に記載の固体撮像装置。
【請求項６】
前記キャンセル成分の位相は、前記ノイズ成分の位相を反転した位相である
請求項５に記載の固体撮像装置。
【請求項７】
前記電源ノイズ検出部は、前記ゲイン及び前記キャンセル成分の位相を調整する調整機構を
備える請求項６に記載の固体撮像装置。
【請求項８】
前記第２の電荷蓄積部の前記基準電位に設定される一端と異なる一端は、前記画素信号のサンプル期間にオンする第１のスイッチを介して、前記電源ノイズ検出部の出力に接続されるとともに、前記画素信号のホールド期間にオンする第２のスイッチを介して、前記第１の電荷蓄積部の前記基準電位に設定される一端と異なる一端に接続されている
請求項２に記載の固体撮像装置。
【請求項９】
前記電源ノイズ検出部は、
前記キャンセル信号を出力する第１の出力と、
前記キャンセル信号のバイアス電圧を示すシングルエンドの参照信号を出力する第２の出力と
を備え、
前記第２の電荷蓄積部の前記基準電位に設定される一端と異なる一端は、前記画素信号のサンプル期間にオンする第１のスイッチを介して前記第１の出力に接続され、前記画素信号のホールド期間にオンする第２のスイッチを介して前記第２の出力に接続されている
請求項２に記載の固体撮像装置。
【請求項１０】
光電変換を行う複数の単位画素の駆動に用いる電源のノイズ成分を検出し、前記ノイズ成分をキャンセルするキャンセル成分を含むシングルエンドのキャンセル信号を出力する電源ノイズ検出ステップと、
前記単位画素から出力されるシングルエンドの画素信号をサンプリングし、前記キャンセル信号に基づいて、サンプリングした前記画素信号から前記ノイズ成分を除去した前記画素信号をホールドして出力するサンプルアンドホールドステップと、
ホールドされた前記画素信号のＡ／Ｄ（Analog/Digital）変換を行うＡ／Ｄ変換ステップと
を含む固体撮像装置の駆動方法。
【請求項１１】
光電変換を行う複数の単位画素が配置されている画素部と、
前記単位画素の駆動に用いる電源のノイズ成分を検出し、前記ノイズ成分をキャンセルするキャンセル成分を含むシングルエンドのキャンセル信号を出力する電源ノイズ検出部と、
前記単位画素から出力されるシングルエンドの画素信号をサンプリングし、前記キャンセル信号に基づいて、サンプリングした前記画素信号から前記ノイズ成分を除去した前記画素信号をホールドして出力するサンプルアンドホールド部と、
ホールドされた前記画素信号のＡ／Ｄ（Analog/Digital）変換を行うＡ／Ｄ変換部と
を備える固体撮像装置を
含む電子機器。
【発明の詳細な説明】
【技術分野】
【０００１】
本技術は、固体撮像装置、固体撮像装置の駆動方法、及び、電子機器に関し、特に、画素信号の電源ノイズを削減できるようにした固体撮像装置、固体撮像装置の駆動方法、及び、電子機器に関する。
【背景技術】
【０００２】
従来のＣＭＯＳイメージセンサでは、光電変換素子を含む画素部が電源ノイズを伝搬しやすい構成になっており、この画素回路における電源ノイズが、ＣＭＯＳイメージセンサ全体の電源ノイズにおいて支配的である。【０００３】
これに対して、従来、電源ノイズを含む画素信号と、電源ノイズをミラーリングした信号とを差動入力のアンプに入力して、画素信号から電源ノイズを除去することが提案されている（例えば、特許文献１参照）。
【先行技術文献】
【特許文献】
【０００４】
【特許文献１】特開２００７−１５９１１５号公報
【発明の概要】
【発明が解決しようとする課題】
【０００５】
しかしながら、特許文献１に記載の発明では、各ＣＤＳ（Correlated Double Sampling）回路に差動入力のアンプが必要になるため、例えば、シングルエンド構成のアンプを用いる場合と比較して、消費電力や回路規模が増大する。【０００６】
そこで、本技術は、シングルエンドの回路構成により、画素信号の電源ノイズを削減できるようにするものである。
【課題を解決するための手段】
【０００７】
本技術の一側面の固体撮像装置は、光電変換を行う複数の単位画素が配置されている画素部と、前記単位画素の駆動に用いる電源のノイズ成分を検出し、前記ノイズ成分をキャンセルするキャンセル成分を含むシングルエンドのキャンセル信号を出力する電源ノイズ検出部と、前記単位画素から出力されるシングルエンドの画素信号をサンプリングし、前記キャンセル信号に基づいて、サンプリングした前記画素信号から前記ノイズ成分を除去した前記画素信号をホールドして出力するサンプルアンドホールド部と、ホールドされた前記画素信号のＡ／Ｄ（Analog/Digital）変換を行うＡ／Ｄ変換部とを備える。【０００８】
前記電源ノイズ検出部に、前記画素信号に基づく電荷を蓄積する第１の電荷蓄積部と、前記第１の電荷蓄積部と基準電位が共通であり、前記キャンセル信号に基づく電荷を蓄積する第２の電荷蓄積部とを設けることができる。【０００９】
前記第２の電荷蓄積部には、前記画素信号のサンプル期間に、前記画素信号の前記ノイズ成分により前記第１の電荷蓄積部に蓄積される電荷であるノイズ電荷とほぼ同量の電荷であるキャンセル電荷を前記キャンセル信号の前記キャンセル成分により蓄積させることができる。【００１０】
前記サンプルアンドホールド部には、前記サンプル期間に前記第１の電荷蓄積部に蓄積された前記ノイズ電荷と前記第２の電荷蓄積部に蓄積された前記キャンセル電荷を、前記画素信号のホールド期間に相殺させることができる。【００１１】
前記キャンセル成分を、前記ノイズ成分を所定のゲインで増幅した成分とし、前記第２の電荷蓄積部の容量を、前記ゲインに相当する分だけ前記第１の電荷蓄積部の容量より小さくすることができる。【００１２】
前記キャンセル成分の位相を、前記ノイズ成分の位相を反転した位相とすることができる。【００１３】
前記電源ノイズ検出部には、前記ゲイン及び前記キャンセル成分の位相を調整する調整機構を設けることができる。【００１４】
前記第２の電荷蓄積部の前記基準電位に設定される一端と異なる一端を、前記画素信号のサンプル期間にオンする第１のスイッチを介して、前記電源ノイズ検出部の出力に接続するとともに、前記画素信号のホールド期間にオンする第２のスイッチを介して、前記第１の電荷蓄積部の前記基準電位に設定される一端と異なる一端に接続することができる。【００１５】
前記電源ノイズ検出部に、前記キャンセル信号を出力する第１の出力と、前記キャンセル信号のバイアス電圧を示すシングルエンドの参照信号を出力する第２の出力とを設け、前記第２の電荷蓄積部の前記基準電位に設定される一端と異なる一端を、前記画素信号のサンプル期間にオンする第１のスイッチを介して前記第１の出力に接続し、前記画素信号のホールド期間にオンする第２のスイッチを介して前記第２の出力に接続することができる。【００１６】
本技術の一側面の固体撮像装置の駆動方法は、光電変換を行う複数の単位画素の駆動に用いる電源のノイズ成分を検出し、前記ノイズ成分をキャンセルするキャンセル成分を含むシングルエンドのキャンセル信号を出力する電源ノイズ検出ステップと、前記単位画素から出力されるシングルエンドの画素信号をサンプリングし、前記キャンセル信号に基づいて、サンプリングした前記画素信号から前記ノイズ成分を除去した前記画素信号をホールドして出力するサンプルアンドホールドステップと、ホールドされた前記画素信号のＡ／Ｄ（Analog/Digital）変換を行うＡ／Ｄ変換ステップとを含む。【００１７】
本技術の一側面の電子機器は、光電変換を行う複数の単位画素が配置されている画素部と、前記単位画素の駆動に用いる電源のノイズ成分を検出し、前記ノイズ成分をキャンセルするキャンセル成分を含むシングルエンドのキャンセル信号を出力する電源ノイズ検出部と、前記単位画素から出力されるシングルエンドの画素信号をサンプリングし、前記キャンセル信号に基づいて、サンプリングした前記画素信号から前記ノイズ成分を除去した前記画素信号をホールドして出力するサンプルアンドホールド部と、ホールドされた前記画素信号のＡ／Ｄ（Analog/Digital）変換を行うＡ／Ｄ変換部とを備える固体撮像装置を含む。【００１８】
本技術の一側面においては、光電変換を行う複数の単位画素の駆動に用いる電源のノイズ成分が検出され、前記ノイズ成分をキャンセルするキャンセル成分を含むシングルエンドのキャンセル信号が出力され、前記単位画素から出力されるシングルエンドの画素信号がサンプリングされ、前記キャンセル信号に基づいて、サンプリングした前記画素信号から前記ノイズ成分を除去した前記画素信号がホールドされて出力され、ホールドされた前記画素信号のＡ／Ｄ（Analog/Digital）変換が行われる。【００１９】
半導体装置及び電子機器は、独立した部品または装置であっても良いし、他の装置に組み込まれるモジュールであっても良い。
【発明の効果】
【００２０】
本技術の一側面によれば、画素信号の電源ノイズを削減することができる。【００２１】
なお、ここに記載された効果は必ずしも限定されるものではなく、本開示中に記載されたいずれかの効果であってもよい。
【図面の簡単な説明】
【００２２】
【図１】本技術を適用したＣＭＯＳイメージセンサの一実施の形態を示す回路図である。
【図２】電源ノイズキャンセル部の第１の実施の形態を示す回路図である。
【図３】図２のサンプルアンドホールド回路の動作を説明するためのタイミングチャートである。
【図４】電源ノイズ検出部の第１の実施の形態を示す回路図である。
【図５】電源ノイズキャンセル部の第２の実施の形態を示す回路図である。
【図６】電源ノイズ検出部の第２の実施の形態を示す回路図である。
【図７】電源ノイズキャンセル部の第３の実施の形態を示す回路図である。
【図８】図７の電源ノイズキャンセル部の動作を説明するためのタイミングチャートである。
【図９】電源ノイズキャンセル部の第４の実施の形態を示す回路図である。
【図１０】電源ノイズキャンセル部の第５の実施の形態を示す回路図である。
【図１１】図１０の電源ノイズキャンセル部の動作を説明するためのタイミングチャートである。
【図１２】電源ノイズキャンセル部の第６の実施の形態を示す回路図である。
【図１３】図１２の電源ノイズキャンセル部の動作を説明するためのタイミングチャートである。
【図１４】電子機器の構成例を示すブロック図である。
【図１５】固体撮像装置の使用例を示す図である。
【発明を実施するための形態】
【００２３】
以下、発明を実施するための形態（以下、「実施形態」と記述する）について図面を用いて詳細に説明する。なお、説明は以下の順序で行う。
１．本技術が適用される固体撮像装置
２．第１の実施の形態
３．第２の実施の形態（第１の実施の形態の変形例）
４．第３の実施の形態（複数のサンプルアンドホールド回路を並列に動作させる例１）
５．第４の実施の形態（複数のサンプルアンドホールド回路を並列に動作させる例２）
６．第５の実施の形態（ＣＤＳに適用する例１）
７．第６の実施の形態（ＣＤＳに適用する例２）
８．変形例
９．電子機器への適用例
１０．固体撮像装置の使用例
【００２４】
＜１．本技術が適用される固体撮像装置＞
｛１−１．基本的なシステム構成｝
図１は、本技術が適用される固体撮像装置、例えばＸ−Ｙアドレス方式固体撮像装置の一種であるＣＭＯＳイメージセンサの構成の概略を示すシステム構成図である。ここで、ＣＭＯＳイメージセンサとは、ＣＭＯＳプロセスを応用して、または、部分的に使用して作成されたイメージセンサである。
【００２５】
ＣＭＯＳイメージセンサ１０は、画素部１１、タイミング制御回路１２、垂直走査回路１３、電源ノイズ検出部１４、サンプルアンドホールド部１５、Ａ／Ｄ（Analog/Digital）変換部１６、及び、水平走査回路１７を含むように構成される。また、電源ノイズ検出部１４及びサンプルアンドホールド部１５により電源ノイズキャンセル部３１が構成される。
【００２６】
画素部１１は、受光した光量に応じた電荷を生成しかつ蓄積する光電変換部６１を有する単位画素（以下、単に「画素」と記述する場合もある）が、行方向及び列方向に、すなわち行列状に２次元配置された構成となっている。ここで、行方向とは画素行の画素の配列方向（すなわち、水平方向）を言い、列方向とは画素列の画素の配列方向（すなわち、垂直方向）を言う。
【００２７】
画素部１１において、行列状の画素配列に対して、画素行ごとに画素駆動線１８が行方向に沿って配線され、画素列ごとに垂直信号線１９が列方向に沿って配線されている。画素駆動線１８は、単位画素５１から信号を読み出す際の駆動を行うための駆動信号を伝送する。なお、図１では、各行毎に画素駆動線１８を１本の配線として示しているが、１本に限られるものではない。
【００２８】
また、画素部１１の各単位画素５１には、各単位画素５１の駆動に用いる電源電圧Ｖｄｄ＿ｐｉｘが図示せぬ電源から供給される。
【００２９】
タイミング制御回路１２は、垂直走査回路１３、電源ノイズ検出部１４、サンプルアンドホールド部１５、Ａ／Ｄ変換部１６、及び、水平走査回路１７にクロック信号や制御信号等を供給し、各部の動作を制御する。
【００３０】
垂直走査回路１３は、画素駆動線１８を介して、画素部１１の単位画素５１から画素信号を読み出す際の駆動を行うための駆動信号を伝送し、読出し行を選択する。そして、垂直走査回路１３は、選択した行の単位画素５１から画素信号を垂直信号線１９に出力させる。
【００３１】
電源ノイズ検出部１４は、画素部１１に供給される電源電圧Ｖｄｄ＿ｐｉｘのノイズ成分を検出し、検出したノイズ成分をキャンセルするキャンセル成分を含むシングルエンドのキャンセル信号をサンプルアンドホールド部１５に供給する。
【００３２】
サンプルアンドホールド部１５には、垂直信号線１９毎にサンプルアンドホールド回路７１が設けられている。各サンプルアンドホールド回路７１は、垂直信号線１９を介して各単位画素５１から供給されるシングルエンドの画素信号をサンプリングして、ホールド（保持）する。
【００３３】
Ａ／Ｄ変換部１６は、サンプルアンドホールド回路７１によりホールドされたアナログの画素信号をデジタル信号にＡ／Ｄ変換する。
【００３４】
水平走査回路１７は、Ａ／Ｄ変換部１６から出力されるデジタルの画素信号を水平方向に転送する。これにより、デジタルの画素信号からなる撮像データが出力される。
【００３５】
単位画素５１は、フォトダイオード６１、転送トランジスタ６２、リセットトランジスタ６３、ＦＤ（フローティングディフュージョン）部６４、増幅トランジスタ６５、選択トランジスタ６６、及び、電流源６７を含むように構成される。転送トランジスタ６２には、画素駆動線１８を介して垂直走査回路１３から転送信号ＴＲＧが供給される。リセットトランジスタ６３には、画素駆動線１８を介して垂直走査回路１３からリセット信号ＲＳＴが供給される。選択トランジスタ６６には、画素駆動線１８を介して垂直走査回路１３から選択信号ＳＥＬが供給される。
【００３６】
なお、図１の単位画素５１は、一般的な回路構成を有しており、ここでは詳細な説明は省略する。
【００３７】
また、単位画素５１は、この例に限定されるものではなく、任意の回路構成の単位画素とすることができる。さらに、単位画素５１は、共有画素構造とすることもできる。共有画素構造の単位画素５１は、例えば、複数のフォトダイオード６１、複数の転送トランジスタ６２、共有される１つのＦＤ部６４、及び、共有される１つずつの他のトランジスタから構成される。
【００３８】
＜２．第１の実施の形態＞
次に、図２乃至図４を参照して、本技術の第１の実施の形態について説明する。
【００３９】
｛電源ノイズキャンセル部３１の第１の実施の形態｝
図２は、図１の電源ノイズキャンセル部３１の第１の実施の形態である電源ノイズキャンセル部３１ａの構成例を示している。電源ノイズキャンセル部３１ａは、図１の電源ノイズ検出部１４の第１の実施の形態である電源ノイズ検出部１４ａ、及び、図１のサンプルアンドホールド部１５の第１の実施の形態であるサンプルアンドホールド部１５ａ（不図示）により構成される。サンプルアンドホールド部１５ａは、図１のサンプルアンドホールド回路７１の第１の実施の形態である複数のサンプルアンドホールド回路７１ａにより構成される。
【００４０】
なお、図２では、図を見やすくするために、１つの単位画素５１、電源ノイズ検出部１４ａ、及び、１つのサンプルアンドホールド回路７１ａのみを図示している。また、図を見やすくために、一部の符号の図示を省略している。
【００４１】
サンプルアンドホールド回路７１ａは、スイッチ１０１乃至１０５、トランジスタ１０６乃至１１２、及び、サンプリング容量Ｃｖｓｌ，Ｃｐｓｒを含むように構成される。トランジスタ１０６、１０７及び１１０乃至１１２は、ｐ型のＭＯＳＦＥＴからなり、トランジスタ１０８及び１０９は、ｎ型のＭＯＳＦＥＴからなる。サンプリング容量Ｃｖｓｌ，Ｃｐｓｒは、例えばコンデンサからなる。
【００４２】
サンプリング容量Ｃｖｓｌは、垂直信号線１９を介して単位画素５１から供給されるシングルエンドの画素信号に基づく電荷を蓄積する。サンプリング容量Ｃｖｓｌの一端は、スイッチ１０１を介して、垂直信号線１９に接続されるとともに、スイッチ１０４を介して、トランジスタ１１１のドレイン及びトランジスタ１１２のソースに接続されている。サンプリング容量Ｃｖｓｌの他端は、トランジスタ１０９のゲートに接続されるともに、スイッチ１０５を介して、トランジスタ１０７のドレイン、トランジスタ１０８のドレイン、及び、トランジスタ１１２のゲートに接続されている。
【００４３】
サンプリング容量Ｃｐｓｒは、電源ノイズ検出部１４ａから供給されるシングルエンドのキャンセル信号に基づく電荷を蓄積する。サンプリング容量Ｃｐｓｒの一端は、スイッチ１０２を介して電源ノイズ検出部１４ａの出力に接続されるとともに、サンプリング容量Ｃｖｓｌのスイッチ１０１を介して垂直信号線１９に接続されている側の一端に、スイッチ１０３を介して接続されている。サンプリング容量Ｃｐｓｒの他端は、サンプリング容量Ｃｖｓｌの他端に接続されている。従って、サンプリング容量Ｃｖｓｌとサンプリング容量Ｃｐｓｒとは、共通のサンプリング基準電位（例えば、仮想接地点ＶＧの電位）に設定される。
【００４４】
なお、以下、サンプリング容量Ｃｖｓｌの容量をＣｖｓｌとし、サンプリング容量Ｃｐｓｒの容量をＣｐｓｒとする。
【００４５】
トランジスタ１０６のソースは、図示せぬ電源に接続され、ドレインは、トランジスタ１０７のソースに接続されている。トランジスタ１０６のゲートには、ゲート信号Ｖｂｉａｓ_ｐ１が印加される。
【００４６】
トランジスタ１０７のゲートには、ゲート信号Ｖｂｉａｓ_ｐ２が印加される。
【００４７】
トランジスタ１０８のソースは、トランジスタ１０９のドレインに接続されている。トランジスタ１０８のゲートには、ゲート信号Ｖｂｉａｓ_ｎ１が印加される。
【００４８】
トランジスタ１０９のソースは接地されている。
【００４９】
トランジスタ１１０のソースは、図示せぬ電源に接続され、ドレインは、トランジスタ１１１のソースに接続されている。トランジスタ１１０のゲートには、ゲート信号Ｖｂｉａｓ_ｐ３が印加される。
【００５０】
トランジスタ１１１のゲートには、ゲート信号Ｖｂｉａｓ_ｐ４が印加される。
【００５１】
トランジスタ１１２のドレインは接地されている。
【００５２】
スイッチ１０１及び１０２は、タイミング制御回路１２から供給されるサンプル信号ｐｈ＿ｓがオンのとき（Ｈｉｇｈレベルのとき）、オンし、サンプル信号ｐｈ＿ｓがオフのとき（Ｌｏｗレベルのとき）、オフする。
【００５３】
スイッチ１０３及び１０４は、タイミング制御回路１２から供給されるホールド信号ｐｈ＿ｈがオンのときオンし、ホールド信号ｐｈ＿ｈがオフのときオフする。
【００５４】
スイッチ１０５は、タイミング制御回路１２から供給されるサンプル信号ｐｈ＿ｓａがオンのときオンし、サンプル信号ｐｈ＿ｓａがオフのときオフする。
【００５５】
そして、トランジスタ１１２のソース電位ＶｏｕｔＡを示すアナログの画素信号が、サンプルアンドホールド回路７１ａから出力される。
【００５６】
｛サンプルアンドホールド回路７１ａの動作｝
次に、図３のタイミングチャートを参照して、サンプルアンドホールド回路７１ａの動作について説明する。図３は、サンプル信号ｐｈ＿ｓ、サンプル信号ｐｈ＿ｓａ、及び、ホールド信号ｐｈ＿ｈのタイミングチャートを示している。
【００５７】
まず、サンプル信号Ｐｈ＿ｓ及びサンプル信号Ｐｈ＿ｓａがオンし、スイッチ１０１、１０２及び１０５がオンすることで、サンプル期間が開始する。
【００５８】
ここで、電源電圧Ｖｄｄ＿ｐｉｘのノイズ成分である電源ゆれ（交流成分）の変動幅をΔＶｐｉｘ、画素部１１の電源ゆれが垂直信号線１９に現れる割合をＫｖｓｌ、単位画素５１の画素信号の信号成分をＶｓｉｇとすると、画素信号の平均的な波形は、図２内に示されるように、信号電圧Ｖｓｉｇを基準にΔＶｐｉｘ・Ｋｖｓｌの幅で振動する波形となる。そして、サンプル期間にサンプリング容量Ｃｖｓｌに蓄積される電荷Ｑｖｓｌは、次式（１）となる。
【００５９】
Qvsl=(Vsig+ΔVpix・Kvsl)Cvsl
=Vsig・Cvsl+ΔVpix・Kvsl・Cvsl  ・・・（１）
【００６０】
ここで、式（１）の第２項のΔＶｐｉｘ・Ｋｖｓｌ・Ｃｖｓｌは、画素信号の電源ノイズ成分（ΔＶｐｉｘ・Ｋｖｓｌ）によりサンプリング容量Ｃｖｓｌに蓄積される電荷であり、以下、ノイズ電荷ΔＱｖｓｌと称する。
【００６１】
一方、電源ノイズ検出部１４ａから出力されるキャンセル信号を、所定のバイアス電圧Ｖｐｓｒに、電源ゆれΔＶｐｉｘをＫｐｓｒ倍した電圧を加算した信号であるとすると、キャンセル信号の平均的な波形は、図２内に示されるように、バイアス電圧Ｖｐｓｒを基準にΔＶｐｉｘ・Ｋｐｓｒの幅で振動する波形となる。そして、サンプル期間にサンプリング容量Ｃｐｓｒに蓄積される電荷Ｑｐｓｒは、次式（２）となる。
【００６２】
Qpsr=(Vpsr+ΔVpix・Kpsr)Cpsr
=Vpsr・Cpsr+ΔVpix・Kpsr・Cpsr  ・・・（２）
【００６３】
ここで、式（２）の第２項のΔＶｐｉｘ・Ｋｐｓｒ・Ｃｐｓｒは、キャンセル信号の交流成分であるキャンセル成分（ΔＶｐｉｘ・Ｋｐｓｒ）により、サンプリング容量Ｃｐｓｒに蓄積される電荷であり、以下、キャンセル電荷ΔＱｐｓｒと称する。なお、キャンセル成分は、電源ゆれΔＶｐｉｘをゲインＫｐｓｒで増幅した成分である。
【００６４】
そして、サンプル信号Ｐｈ＿ｓａがオフし、スイッチ１０５がオフした後、サンプル信号Ｐｈ＿ｓがオフし、スイッチ１０１及び１０２がオフし、サンプル期間が終了する。
【００６５】
次に、ホールド信号ｐｈ＿ｈがオンし、スイッチ１０３及び１０４がオンし、ホールド期間が開始する。
【００６６】
このとき、スイッチ１０３がオンし、サンプリング容量Ｃｖｓｌとサンプリング容量Ｃｐｓｒの両端が接続されることにより、サンプル期間中にサンプリング容量Ｃｖｓｌ及びＣｐｓｒに蓄積された電荷Ｑｖｓｌ及び電荷Ｑｐｓｒが再分配される。そして、サンプルアンドホールド回路７１ａから出力される画素信号の電圧ＶｏｕｔＡは、次式（３）で表される。
【００６７】
VoutA=(Qvsl+Qpsr)/(Cvsl+Cpsr)
={(Vsig+ΔVpix・Kvsl)Cvsl+(Vpsr+ΔVpix・Kpsr)Cpsr｝/(Cvsl+Cpsr)
・・・（３）
【００６８】
ここで、電源ノイズ検出部１４ａのゲインＫｐｓｒを次式（４）に設定すると、ノイズ電荷ΔＱｖｓｌ＝−キャンセル電荷ΔＱｐｓｒとなる。
【００６９】
Kpsr=-Kvsl・Cvsl/Cpsr  ・・・（４）
【００７０】
従って、サンプリング容量Ｃｖｓｌ及びＣｐｓｒに蓄積された電荷Ｑｖｓｌ及び電荷Ｑｐｓｒが再分配されることにより、ノイズ電荷ΔＱｖｓｌとキャンセル電荷ΔＱｐｓｒが相殺される。また、式（４）のゲインＫｐｓｒを式（３）に代入することにより、サンプルアンドホールド回路７１ａから出力される画素信号の電圧ＶｏｕｔＡは、次式（５）となる。
【００７１】
VoutA=(Vsig・Cvsl+Vpsr・Cpsr)/(Cvsl+Cpsr)  ・・・（５）
【００７２】
このように、式（５）において電源ゆれΔＶｐｉｘが消えており、サンプルアンドホールド回路７１ａから出力される画素信号の電圧ＶｏｕｔＡから電源ノイズ成分が除去される。
【００７３】
その後、ホールド信号ｐｈ＿ｈがオフし、スイッチ１０３及び１０４がオフし、ホールド期間が終了する。
【００７４】
｛電源ノイズ検出部１４ａの構成例｝
図４は、図２の電源ノイズ検出部１４ａの構成例を示している。
【００７５】
電源ノイズ検出部１４ａは、電源ノイズ検出回路１５１ａ及びバッファアンプ１５２を含むように構成される。電源ノイズ検出回路１５１ａは、トランジスタｍｐ１乃至ｍｐ７、トランジスタｍｎ１乃至ｍｎ４、スイッチＳＷ１及びＳＷ２、可変コンデンサＣａｄｖ及びＣｄｌｙ、可変容量アレイＣｄｉｖ、コンデンサＣｃｐｌ及びＣｂｉａｓ、可変抵抗素子Ｒｄｅｔ１及びＲｄｉｆ、並びに、バイアス電流源である電流源１６１を含むように構成される。トランジスタｍｐ１乃至ｍｐ７は、ｐ型のＭＯＳＦＥＴからなる。トランジスタｍｐ７は、チャネル幅（Ｗ）が可変である。トランジスタｍｎ１乃至ｍｎ４、並びに、スイッチＳＷ１及びＳＷ２は、ｎ型のＭＯＳＦＥＴからなる。
【００７６】
トランジスタｍｐ１のソースは、電源電圧Ｖｄｄ＿ｐｉｘを供給する電源（不図示）、トランジスタｍｐ２のソース、トランジスタｍｐ５のソース、及び、トランジスタｍｐ７のソースに接続されている。また、トランジスタｍｐ１のソースは、電流源１６１を介して、トランジスタｍｎ１のドレイン、及び、トランジスタｍｎ１乃至ｍｎ４のゲートに接続されている。さらに、トランジスタｍｐ１のソースは、可変コンデンサＣｄｌｙを介して、トランジスタｍｐ１のゲート、トランジスタｍｐ３のドレイン、トランジスタｍｐ７のゲート、及び、トランジスタｍｎ２のドレインに接続されている。また、トランジスタｍｐ１のソースは、可変コンデンサＣａｄｖを介して、トランジスタｍｐ１のドレイン及びトランジスタｍｐ３のソースに接続されている。さらに、トランジスタｍｐ１のソースは、コンデンサＣｃｐｌを介して、トランジスタｍｐ４のゲート及びスイッチＳＷ２のドレインに接続されている。トランジスタｍｐ１のドレインは、可変抵抗素子Ｒｄｉｆを介して、トランジスタｍｐ２のドレイン及びトランジスタｍｐ４のソースに接続されている。
【００７７】
トランジスタｍｐ２のゲートは、トランジスタｍｐ４のドレイン及びトランジスタｍｎ３のドレインに接続されている。
【００７８】
トランジスタｍｐ３のゲートは、スイッチＳＷ１のドレインに接続されている。また、トランジスタｍｐ３のゲートは、コンデンサＣｂｉａｓを介して、トランジスタｍｎ１乃至ｍｎ４のソースに接続されている。トランジスタｍｐ３のバックゲートは、トランジスタｍｐ３のソースに接続されている。
【００７９】
トランジスタｍｐ４のゲートは、可変容量アレイＣｄｉｖを介して、トランジスタｍｎ１乃至ｍｎ４のソースに接続されている。トランジスタｍｐ４のバックゲートは、トランジスタｍｐ４のソースに接続されている。
【００８０】
トランジスタｍｐ５のゲートは、トランジスタｍｐ６のゲート及びドレイン、トランジスタｍｎ４のドレイン、スイッチＳＷ１のソース、並びに、スイッチＳＷ２のソースに接続されている。トランジスタｍｐ５のドレインは、トランジスタｍｐ６のソースに接続されている。トランジスタｍｐ６のバックゲートは、トランジスタｍｐ６のソースに接続されている。
【００８１】
トランジスタｍｐ７のドレインは、バッファアンプ１５２の入力に接続されている。また、トランジスタｍｐ７のドレインは、可変抵抗素子Ｒｄｅｔ１を介して、トランジスタｍｎ１乃至ｍｎ４のソースに接続されている。トランジスタｍｎ１乃至ｍｎ４のソースは、グラウンド電位に設定される。
【００８２】
スイッチＳＷ１及びＳＷ２のゲートには、クロック信号ＣＫが入力される。
【００８３】
そして、トランジスタｍｐ１及びｍｐ２により差動アンプが構成される。また、トランジスタｍｐ５、ｍｐ６及びｍｎ４により差動アンプ入力バイアス源１６２が構成される。
【００８４】
｛電源ノイズ検出部１４ａの動作｝
次に、電源ノイズ検出部１４ａの動作について簡単に説明する。
【００８５】
バイアス電圧源であるコンデンサＣｂｉａｓは、スイッチＳＷ１を介して、差動アンプ入力バイアス源１６２から供給される電流により充電される。また、バイアス電圧源である可変容量アレイＣｄｉｖは、スイッチＳＷ２を介して、差動アンプ入力バイアス源１６２から供給される電流により充電される。ここで、クロック信号ＣＫを定期的に（例えば、水平同期信号周期毎に）スイッチＳＷ１及びＳＷ２に入力し、コンデンサＣｂｉａｓ及び可変容量アレイＣｄｉｖを充電することにより、トランジスタｍｐ１及びｍｐ２からなる差動アンプを最適な動作点で動作させることができる。
【００８６】
また、図示せぬ電源から入力される電源電圧Ｖｄｄ＿ｐｉｘに含まれる電源ゆれΔＶｐｉｘの成分が、コンデンサＣｃｐｌを通過する。そして、電源ゆれΔＶｐｉｘに基づく電圧に、可変容量アレイＣｄｉｖにより与えられるバイアス電位を加算した電源ノイズ電圧が、差動アンプの一方の入力であるトランジスタｍｐ４のゲートに入力される。
【００８７】
一方、差動アンプの他方の入力であるトランジスタｍｐ３のゲート電位は、コンデンサＣｂｉａｓにより所定のＤＣバイアス電位に設定される。このＤＣバイアス電位は、可変容量アレイＣｄｉｖによるバイアス電位とほぼ同じ電位に設定される。また、このＤＣバイアス電位は、電源ゆれΔＶｐｉｘの影響を受けない。
【００８８】
そして、差動アンプに入力される電源ノイズ電圧とＤＣバイアス電位との差分に基づく電圧、すなわち、電源電圧Ｖｄｄ＿ｐｉｘに含まれる電源ゆれΔＶｐｉｘに基づく電圧が可変抵抗素子Ｒｄｉｆの両端に印加され、電流に変換される。
【００８９】
ここで、可変抵抗素子Ｒｄｉｆの抵抗値を大きくすると、可変抵抗素子Ｒｄｉｆが熱雑音源となるため、あまり大きな抵抗値に設定することはできない。一方、可変抵抗素子Ｒｄｉｆの抵抗値を小さくすると、可変抵抗素子Ｒｄｉｆを流れる定常電流が増大する。
【００９０】
これに対して、差動アンプの差動入力対となるトランジスタｍｐ３のソースとトランジスタｍｐ４のソースとの間に可変抵抗素子Ｒｄｉｆを挿入することにより、可変抵抗素子Ｒｄｉｆの両端にかかる電圧を小さくすることができる。これにより、可変抵抗素子Ｒｄｉｆの定常電流を増やすことなく、可変抵抗素子Ｒｄｉｆの抵抗値を小さくすることができる。
【００９１】
また、差動アンプのＰＭＯＳ電流源となるトランジスタｍｐ１及びｍｐ２のゲートが、差動入力対となるトランジスタｍｐ３及びｍｐ４のドレインにそれぞれ接続されている。これにより、トランジスタｍｐ３及びｍｐ４のトランスコンダクタンスＧｍを高くすることができ、その結果、電源ゆれΔＶｐｉｘが可変抵抗素子Ｒｄｉｆの両端で電流に変換される際の減衰量を抑制することができる。
【００９２】
トランジスタｍｐ１には、トランジスタｍｎ１とカレントミラーを構成するトランジスタｍｎ２を流れるバイアス電流から可変抵抗素子Ｒｄｉｆを流れる電流を引いた電流が流れる。そして、トランジスタｍｐ１を流れる電流が、トランジスタｍｐ１とカレントミラーを構成するトランジスタｍｐ７によりコピーされる。また、トランジスタｍｐ７を流れる電流が、可変抵抗素子Ｒｄｅｔ１により電圧ＶｄｅｔＡに変換され、電圧ＶｄｅｔＡがバッファアンプ１５２に入力される。
【００９３】
バッファアンプ１５２は、入力電圧ＶｄｅｔＡをキャンセル電圧Ｖｃｎｃｌに変換し、キャンセル電圧Ｖｃｎｃｌを示すキャンセル信号を出力する。キャンセル電圧Ｖｃｎｃｌは、電源ゆれΔＶｐｉｘの位相を反転してＫｐｓｒ倍したキャンセル成分の電圧をバイアス電圧Ｖｐｓｒに加算した電圧となる。なお、バイアス電圧Ｖｐｓｒは、電圧ＶｄｅｔＡに基づいてバッファアンプ１５２の動作点により規定される。
【００９４】
なお、バッファアンプ１５２は、電源ノイズ検出部１４ａの後段に大きな容量性負荷又は抵抗性負荷が接続される場合に必要であるが、それ以外の場合には削除することも可能である。
【００９５】
次に、電源ノイズ検出部１４ａから出力されるキャンセル信号に含まれるキャンセル成分のゲインＫｐｓｒと位相の調整方法の例について説明する。
【００９６】
電源電圧Ｖｄｄ＿ｐｉｘの電源ゆれΔＶｐｉｘが画素部１１を介してサンプルアンドホールド部１５ａに至る経路と、電源ノイズ検出部１４ａを介してサンプルアンドホールド部１５ａに至る経路とは、回路構成及び回路規模が異なる。従って、前者の経路における伝達特性（以下、画素経路伝達特性と称する）と、後者の経路における伝達特性（以下、検出経路伝達特性と称する）とは、互いにゲイン及び位相特性が異なる。そこで、電源ノイズ検出部１４ａのゲインＫｐｓｒを上述した式（４）に設定できるように、検出経路伝達特性のゲイン及び位相を調整する機構が、電源ノイズ検出部１４に設けられている。
【００９７】
例えば、可変抵抗素子Ｒｄｉｆの抵抗値と可変抵抗素子Ｒｄｅｔ１の抵抗値の比であるＲｄｅｔ１/Ｒｄｉｆを調整することにより検出経路伝達特性のゲインを調整することができる。
【００９８】
また、例えば、トランジスタｍｐ１とトランジスタｍｐ７で構成されるカレントミラーの比率を調整することにより検出経路伝達特性のゲインを調整することができる。
【００９９】
さらに、例えば、トランジスタｍｐ４のゲート容量をＣｇとすると、トランジスタｍｐ４のゲートに入力される電源ノイズ電圧における電源ゆれΔＶｐｉｘに基づく成分の比率は、Ｃｃｐｌ/（Ｃｃｐｌ＋Ｃｄｉｖ＋Ｃｇ）で表される分圧比により決まる。従って、可変容量アレイＣｄｉｖの容量Ｃｄｉｖを調整し、上記の分圧比を調整することにより、検出経路伝達特性のゲインを調整することができる。
【０１００】
なお、３番目の調整方法は、１番目及び２番目の調整方法と比較して、直流電流値や抵抗値を変更しないため、出力に現れる熱雑音特性を変えることなくゲイン調整が可能となる。しかし、３番目の調整方法では、ゲインの減衰はできるが、増幅はできないため、用途に応じて他の調整方法を併用する必要がある。
【０１０１】
また、例えば、可変コンデンサＣａｄｖの容量を調整することで、検出経路伝達特性の位相を進み方向に調整することができる。一方、例えば、可変コンデンサＣｄｌｙの容量を調整することで、検出経路伝達特性の位相を遅れ方向に調整することができる。
【０１０２】
以上のように、検出経路伝達特性のゲイン及び位相を調整することにより、ゲインＫｐｓｒを上述した式（４）に設定することができる。
【０１０３】
なお、図４の電源ノイズ検出部１４ａでは、ＰＭＯＳ差動入力の差動アンプを用いる例を示したが、ＮＭＯＳ差動入力の差動アンプを用いることも可能である。
【０１０４】
以上のようにして、シングルエンドの回路構成により、画素部１１から出力される画素信号の電源ノイズ成分を削減することができる。これにより、上述した引用文献１のように差動入力の回路を用いる場合と比較して、消費電力及び回路規模を小さくすることができる。
【０１０５】
また、上述した式（４）により、必要なサンプリング容量Ｃｐｓｒの容量Ｃｐｓｒは、サンプリング容量Ｃｖｓｌの容量ＣｖｓｌのＫｖｓｌ／Ｋｐｓｒとなる。従って、電源ノイズ検出部１４ａのゲインＫｐｓｒを大きくすることにより、ゲインＫｐｓｒに相当する分だけ、サンプリング容量Ｃｐｓｒの容量Ｃｐｓｒをサンプリング容量Ｃｖｓｌの容量Ｃｖｓｌより小さくすることができる。これにより、従来のサンプルアンドホールド回路に対してわずかな量の素子を追加するだけで、サンプルアンドホールド回路７１ａを実現することができる。
【０１０６】
さらに、ＣＭＯＳイメージセンサ１０は、同じ構成の回路を複数並列に設けるため、消費電力や回路規模の削減効果がさらに大きくなる。
【０１０７】
＜３．第２の実施の形態＞
次に、図５及び図６を参照して、本技術の第２の実施の形態について説明する。
【０１０８】
｛電源ノイズキャンセル部３１の第２の実施の形態｝
図５は、図１の電源ノイズキャンセル部３１の第２の実施の形態である電源ノイズキャンセル部３１ｂの構成例を示している。
【０１０９】
電源ノイズキャンセル部３１ｂは、図２の電源ノイズキャンセル部３１ａと比較して、電源ノイズ検出部１４ａ及びサンプルアンドホールド部１５ａの代わりに、電源ノイズ検出部１４ｂ及びサンプルアンドホールド部１５ｂ（不図示）が設けられている点が異なる。サンプルアンドホールド部１５ｂは、図１のサンプルアンドホールド回路７１の第２の実施の形態である複数のサンプルアンドホールド回路７１ｂにより構成される。
【０１１０】
なお、図５では、図を見やすくするために、１つの単位画素５１、電源ノイズ検出部１４ｂ、及び、１つのサンプルアンドホールド回路７１ｂのみを図示している。また、図を見やすくために、一部の符号の図示を省略している。
【０１１１】
サンプルアンドホールド回路７１ｂは、図２のサンプルアンドホールド回路７１ａと比較して、スイッチ１０３の代わりにスイッチ２０１が設けられている点が異なる。
【０１１２】
サンプリング容量Ｃｐｓｒの一端であって、スイッチ１０２を介して電源ノイズ検出部１４ｂに接続されている一端は、スイッチ２０１を介して電源ノイズ検出部１４ｂに接続されている。そして、電源ノイズ検出部１４ｂから出力される参照信号（後述）が、スイッチ２０１を介して、サンプリング容量Ｃｐｓｒに入力される。
【０１１３】
スイッチ２０１は、タイミング制御回路１２から供給されるホールド信号ｐｈ＿ｈがオンのときオンし、ホールド信号ｐｈ＿ｈがオフのときオフする。
【０１１４】
｛電源ノイズ検出部１４ｂの構成例｝
図６は、図５の電源ノイズ検出部１４ｂの構成例を示している。なお、図中、図４と対応する部分には同じ符号を付している。
【０１１５】
電源ノイズ検出部１４ｂは、図４の電源ノイズ検出部１４ａと比較して、電源ノイズ検出回路１５１ａの代わりに電源ノイズ検出回路１５１ｂが設けられ、バッファアンプ２５１が追加されている点が異なる。電源ノイズ検出回路１５１ｂは、図４の電源ノイズ検出回路１５１ａと比較して、トランジスタｍｐ８、ｍｐ９及びｍｎ５、並びに、可変抵抗素子Ｒｄｅｔ２が追加されている点が異なる。トランジスタｍｐ８及びｍｐ９は、ｐ型のＭＯＳＦＥＴからなり、トランジスタｍｎ５は、ｎ型のＭＯＳＦＥＴからなる。トランジスタｍｐ８は、チャネル幅（Ｗ）が可変である。
【０１１６】
トランジスタｍｐ８のソースは、トランジスタｍｐ１のソース及びトランジスタｍｐ９のソースに接続されている。トランジスタｍｐ８のゲートは、トランジスタｍｐ９のゲート及びドレイン、並びに、トランジスタｍｎ５のドレインに接続されている。トランジスタｍｐ８のドレインは、バッファアンプ２５１の入力に接続されている。また、トランジスタｍｐ８のドレインは、可変抵抗素子Ｒｄｅｔ２を介して、トランジスタｍｎ１のソース及びトランジスタｍｎ５のソースに接続されている。トランジスタｍｎ１乃至ｍｎ５のソースは、グラウンド電位に設定される。
【０１１７】
トランジスタｍｎ５のゲートは、トランジスタｍｎ１乃至ｍｎ４のゲートに接続されている。
【０１１８】
可変抵抗素子Ｒｄｅｔ２の抵抗値は、可変抵抗素子Ｒｄｅｔ１の抵抗値と同じになるように調整される。そして、追加されたトランジスタｍｐ８、ｍｐ９及びｍｎ５からなる回路により、トランジスタｍｐ８には、トランジスタｍｎ２を流れるバイアス電流とほぼ同じ電流が流れる。このトランジスタｍｐ８を流れる電流には、可変抵抗素子Ｒｄｉｆを流れる電源ゆれΔＶｐｉｘによる交流成分は含まれない。そして、トランジスタｍｐ８を流れる電流が、可変抵抗素子Ｒｄｅｔ２により電圧ＶｄｅｔＢに変換され、電圧ＶｄｅｔＢがバッファアンプ２５１に入力される。
【０１１９】
バッファアンプ２５１は、入力電圧ＶｄｅｔＢを参照電圧Ｖｒｅｆに変換し、参照電圧Ｖｒｅｆを示す参照信号を出力する。ここで、参照電圧Ｖｒｅｆがバイアス電圧Ｖｐｓｒとほぼ等しい電圧になるように、バッファアンプ２５１の動作点が調整される。
【０１２０】
｛サンプルアンドホールド回路７１ｂの動作｝
次に、サンプルアンドホールド回路７１ｂの動作について説明する。サンプルアンドホールド回路７１ｂは、先に示した図３のタイミングチャートに従って動作する。
【０１２１】
まず、サンプル信号Ｐｈ＿ｓ及びサンプル信号Ｐｈ＿ｓａがオンし、スイッチ１０１、１０２及び１０５がオンし、サンプル期間が開始する。これにより、上述した式（１）で示される電荷Ｑｖｓｌが、サンプリング容量Ｃｖｓｌに蓄積される。また、上述した式（２）で示される電荷Ｑｐｓｒが、サンプリング容量Ｃｐｓｒに蓄積される。
【０１２２】
ここで、サンプルアンドホールド回路７１ｂの仮想接地点ＶＧの電位をＶｓｈｇとすると、サンプル信号ｐｈ＿ｓ、ｐｈ＿ｓａがオンになるサンプル期間における仮想接地点ＶＧの電荷Ｑｖｇ＿ｓａｍｐは、スイッチのチャージインジェクション、フィードスルー、ゲート寄生容量等を無視すると、次式（６）となる。
【０１２３】
Qvg_samp={Vshg-(Vsig+ΔVpix・Kvsl)}・Cvsl+{Vshg-(Vpsr+Δpix・Kpsr)}・Cpsr
・・・（６）
【０１２４】
そして、サンプル信号Ｐｈ＿ｓａがオフし、スイッチ１０５がオフした後、サンプル信号Ｐｈ＿ｓがオフし、スイッチ１０１、１０２及び１０５がオフし、サンプル期間が終了する。
【０１２５】
次に、ホールド信号ｐｈ＿ｈがオンし、スイッチ１０４及び２０１がオンし、ホールド期間が開始する。
【０１２６】
ここで、ホールド期間における仮想接地点ＶＧの電荷Ｑｖｇ_ｈｏｌｄは、サンプルアンドホールド回路の出力電圧をＶｏｕｔＢとすると、次式（７）となる。
【０１２７】
Qvg_hold=(Vshg-VoutB)Cvsl+(Vshg-Vpsr)Cpsr  ・・・（７）
【０１２８】
電荷保存則により、サンプル期間とホールド期間の仮想接地点ＶＧの電荷は等しいので、電荷Ｑｖｇ＿ｓａｍｐ＝電荷Ｑｖｇ＿ｈｏｌｄとなる。従って、上述した式（６）及び（７）により、サンプルアンドホールド回路７１ｂの出力電圧ＶｏｕｔＢは、次式（８）となる。
【０１２９】
VoutB=Vsig+ΔVpix(Kvsl+Kpsr・Cpsr/Cvsl)  ・・・（８）
【０１３０】
ここで、上述したように、電源ノイズ検出部１４ｂのゲインＫｐｓｒを上述した式（４）に設定すると、ノイズ電荷ΔＱｖｓｌ＝−キャンセル電荷ΔＱｐｓｒとなる。そして、仮想接地点ＶＧにおいて、ノイズ電荷ΔＱｖｓｌとキャンセル電荷ΔＱｐｓｒが相殺される。また、式（４）のゲインＫｐｓｒを式（８）に代入することにより、サンプルアンドホールド回路７１ｂから出力される画素信号の電圧ＶｏｕｔＢは、次式（９）となる。
【０１３１】
VoutB=Vsig  ・・・（９）
【０１３２】
このように、式（９）において電源ゆれΔＶｐｉｘが消えており、サンプルアンドホールド回路７１ｂの出力電圧ＶｏｕｔＢから電源ノイズ成分が除去され、画素信号の信号成分Ｖｓｉｇと等しくなる。
【０１３３】
以上のようにして、第１の実施の形態と同様に、シングルエンドの回路構成により、画素部１１から出力される画素信号の電源ノイズ成分を削減することができる。
【０１３４】
また、第１の実施の形態と同様に、電源ノイズ検出部１４ｂのゲインＫｐｓｒを大きくすることにより、サンプリング容量Ｃｖｓｌの容量Ｃｖｓｌを小さくすることができる。これにより、従来のサンプルアンドホールド回路に対してわずかな量の素子を追加するだけで、サンプルアンドホールド回路７１ｂを実現することができる。
【０１３５】
＜４．第３の実施の形態＞
次に、図７及び図８を参照して、本技術の第３の実施の形態について説明する。この第３の実施の形態では、１本の垂直信号線１９にＮ個のサンプルアンドホールド回路７１ａが並列に接続されている。そして、１本の垂直信号線１９に接続されている複数の単位画素５１の画素信号のサンプルアンドホールド処理をＮ個のサンプルアンドホールド回路７１ａにより行う。
【０１３６】
｛電源ノイズキャンセル部３１の第３の実施の形態｝
図７は、図１の電源ノイズキャンセル部３１の第３の実施の形態である電源ノイズキャンセル部３１ｃの構成例を示している。なお、図中、図２及び図４と対応する部分には同じ符号を付してある。また、図７では、図を見やすくするために、１つの単位画素５１、サンプルアンドホールド部１５ｃ（不図示）に含まれるサンプルアンドホールド回路７１ａ−１乃至７１ａ−Ｎ、並びに、電源ノイズ検出部１４ｃのみを図示している。また、図を見やすくするために、一部の符号の図示を省略している。なお、以下、サンプルアンドホールド回路７１ａ−ｉ（ｉ＝１乃至Ｎ）の各部の符号は、図２のサンプルアンドホールド回路７１ａの各部の符号の末尾に”ｉ”又は”−ｉ”（ｉ＝１乃至Ｎ）を付したものとする。
【０１３７】
電源ノイズキャンセル部３１ｃは、図１の電源ノイズ検出部１４の第３の実施の形態である電源ノイズ検出部１４ｃ、及び、図１のサンプルアンドホールド部１５の第３の実施の形態であるサンプルアンドホールド部１５ｃ（不図示）により構成される。サンプルアンドホールド部１５ｃは、複数のサンプルアンドホールド回路７１ａ（図２）により構成される。
【０１３８】
電源ノイズ検出部１４ｃは、図４の電源ノイズ検出部１４ａと比較して、スイッチ３０１−１乃至３０１−Ｎ、バッファアンプ３０２−１乃至３０２−Ｎ、及び、コンデンサＣｓ１乃至ＣｓＮが追加され、バッファアンプ１５２が設けられていない点が異なる。
【０１３９】
バッファアンプ３０２−１乃至３０２−Ｎの入力は、それぞれスイッチ３０１−１乃至３０１−Ｎを介して、電源ノイズ検出回路１５１ａの出力に接続されている。コンデンサＣｓｉ（ｉ＝１乃至Ｎ）の一端は、それぞれスイッチ３０１−ｉとバッファアンプ３０２−ｉの間に接続され、コンデンサＣｓｉの他端は接地されている。バッファアンプ３０２−１乃至３０２−Ｎの出力は、それぞれサンプルアンドホールド回路７１ａ−１乃至７１ａ−Ｎのスイッチ１０２−１乃至１０２−Ｎに接続されている。垂直信号線１９は、サンプルアンドホールド回路７１ａ−１乃至７１ａ−Ｎのスイッチ１０１−１乃至１０１−Ｎに接続されている。
【０１４０】
なお、以下、サンプルアンドホールド回路７１ａ−１乃至７１ａ−Ｎを個々に区別する必要がない場合、単にサンプルアンドホールド回路７１ａと称する。
【０１４１】
スイッチ１０１−ｉ、１０２−ｉ、及び、スイッチ３０１−ｉ（ｉ＝１乃至Ｎ）は、それぞれ、タイミング制御回路１２から供給されるサンプル信号ｐｈ＿ｓｉ（ｉ＝１乃至Ｎ）がオンのときオンし、サンプル信号ｐｈ＿ｓｉがオフのときオフする。
【０１４２】
スイッチ１０３−ｉ及び１０４−ｉ（ｉ＝１乃至Ｎ）は、それぞれ、タイミング制御回路１２から供給されるホールド信号ｐｈ＿ｈｉがオンのときオンし、ホールド信号ｐｈ＿ｈｉがオフのときオフする。
【０１４３】
スイッチ１０５−ｉ（ｉ＝１乃至Ｎ）は、それぞれ、タイミング制御回路１２から供給されるサンプル信号ｐｈ＿ｓａｉがオンのとき、オンし、サンプル信号ｐｈ＿ｓａｉがオフのときオフする。
【０１４４】
｛電源ノイズキャンセル部３１ｃの動作｝
次に、図８のタイミングチャートを参照して、電源ノイズキャンセル部３１ｃの動作について説明する。図８は、サンプル信号ｐｈ＿ｓ１乃至ｐｈ＿ｓＮ、サンプル信号ｐｈ＿ｓａ１乃至ｐｈ＿ｓａＮ、及び、ホールド信号ｐｈ＿ｈ１乃至ｐｈ＿ｈＮのタイミングチャートを示している。
【０１４５】
まず、サンプル信号Ｐｈ＿ｓ１及びサンプル信号ｐｈ＿ｓａ１がオンし、サンプルアンドホールド回路７１ａ−１のスイッチ１０１−１、１０２−１及び１０５−１、並びに、スイッチ３０１−１がオンし、サンプル期間１が開始する。これにより、１行目の単位画素５１の画素信号が、スイッチ１０１−１を介して、サンプルアンドホールド回路７１ａ−１のサンプリング容量Ｃｖｓｌ１に供給され、サンプリング容量Ｃｖｓｌ１が充電される。また、電源ノイズ検出回路１５１ａのキャンセル信号が、スイッチ３０１−１、バッファアンプ３０２−１、及び、スイッチ１０２−１を介して、サンプルアンドホールド回路７１ａ−１のサンプリング容量Ｃｐｓｒ１に供給され、サンプリング容量Ｃｐｓｒ１が充電される。
【０１４６】
そして、サンプル信号Ｐｈ＿ｓａ１がオフし、スイッチ１０５−１がオフした後、サンプル信号Ｐｈ＿ｓ１がオフし、スイッチ１０１−１、１０２−１及び３０１−１がオフし、サンプル期間１が終了する。
【０１４７】
次に、ホールド信号ｐｈ＿ｈ１がオンし、サンプルアンドホールド回路７１ａ−１のスイッチ１０３−１及び１０４−１がオンし、ホールド期間１が開始する。これにより、上述したように、１行目の単位画素５１の画素信号から電源ノイズ成分を除去した電圧ＶｏｕｔＡ１が、サンプルアンドホールド回路７１ａ−１から出力される。
【０１４８】
また、ホールド信号ｐｈ＿ｈ１がオンするのと同時に、サンプル信号Ｐｈ＿ｓ２及びサンプル信号ｐｈ＿ｓａ２がオンし、サンプルアンドホールド回路７１ａ−２のスイッチ１０１−２、１０２−２及び１０５−２、並びに、スイッチ３０１−２がオンし、サンプル期間２が開始する。これにより、２行目の単位画素５１の画素信号が、スイッチ１０１−２を介して、サンプルアンドホールド回路７１ａ−２のサンプリング容量Ｃｖｓｌ２に供給され、サンプリング容量Ｃｖｓｌ２が充電される。また、電源ノイズ検出回路１５１ａのキャンセル信号が、スイッチ３０１−２、バッファアンプ３０２−２、及び、スイッチ１０２−２を介して、サンプルアンドホールド回路７１ａ−２のサンプリング容量Ｃｐｓｒ２に供給され、サンプリング容量Ｃｐｓｒ２が充電される。
【０１４９】
このように、１行目の単位画素５１の画素信号のホールド処理と、２行目の単位画素５１のサンプル処理とが並行に実行される。
【０１５０】
そして、ホールド信号ｐｈ＿ｈ１がオフし、スイッチ１０３−１及び１０４−１がオフし、ホールド期間１が終了する。また、サンプル信号Ｐｈ＿ｓａ２がオフし、スイッチ１０５−２がオフした後、サンプル信号Ｐｈ＿ｓ２がオフし、スイッチ１０１−２、１０２−２及び３０１−２がオフし、サンプル期間２が終了する。
【０１５１】
次に、ホールド信号ｐｈ＿ｈ２がオンし、サンプルアンドホールド回路７１ａ−２のスイッチ１０３−２及び１０４−２がオンし、ホールド期間２が開始する。これにより、上述したように、２行目の単位画素５１の画素信号から電源ノイズ成分を除去した電圧ＶｏｕｔＡ２が、サンプルアンドホールド回路７１ａ−２から出力される。
【０１５２】
また、ホールド信号ｐｈ＿ｈ２がオンするのと同時に、サンプル信号Ｐｈ＿ｓ３及びサンプル信号ｐｈ＿ｓａ３がオンし、サンプルアンドホールド回路７１ａ−３のスイッチ１０１−３、１０２−３及び１０５−３、並びに、スイッチ３０１−３がオンし、サンプル期間３が開始する。これにより、３行目の単位画素５１の画素信号が、スイッチ１０１−３を介して、サンプルアンドホールド回路７１ａ−３のサンプリング容量Ｃｖｓｌ３に供給され、サンプリング容量Ｃｖｓｌ３が充電される。また、電源ノイズ検出回路１５１ａのキャンセル信号が、スイッチ３０１−３、バッファアンプ３０２−３、及び、スイッチ１０２−３を介して、サンプルアンドホールド回路７１ａ−３のサンプリング容量Ｃｐｓｒ３に供給され、サンプリング容量Ｃｐｓｒ３が充電される。
【０１５３】
このように、２行目の単位画素５１の画素信号のホールド処理と、３行目の単位画素５１のサンプル処理とが並行に実行される。
【０１５４】
そして、ホールド信号ｐｈ＿ｈ２がオフし、スイッチ１０３−２及び１０４−２がオフし、ホールド期間２が終了する。また、サンプル信号Ｐｈ＿ｓａ３がオフし、スイッチ１０５−３がオフした後、サンプル信号Ｐｈ＿ｓ３がオフし、スイッチ１０１−３、１０２−３及び３０１−３がオフし、サンプル期間３が終了する。
【０１５５】
以下、同様にして、ｉ−１行目の単位画素５１の画素信号のホールド期間ｉ−１とｉ行目の単位画素５１の画素信号のサンプル期間ｉ（ｉ＝２乃至Ｎ）とが並行して実行される。また、Ｎ−１行目の単位画素５１の画素信号のホールド期間Ｎ−１及びＮ行目の単位画素５１の画素信号のサンプル期間Ｎが終了した後、Ｎ行目の単位画素５１の画素信号のホールド期間Ｎと１行目の単位画素５１の画素信号のサンプル期間１とが並行して実行され、その後、ｉ−１行目の単位画素５１の画素信号のホールド期間ｉ−１とｉ行目の単位画素５１の画素信号のサンプル期間ｉとが並行して実行される。
【０１５６】
このように、サンプル期間とホールド期間とを並行して実行することにより、サンプルアンドホールド処理を高速化することができる。
【０１５７】
ここで、バッファアンプ３０２−１乃至３０２−Ｎを設けることにより、電源ノイズ検出回路１５１ａと各サンプルアンドホールド回路７１ａとの間のアイソレーションが確保される。また、コンデンサＣｓ１乃至ＣｓＮを設けることにより、スイッチ３０１−１乃至３０１−Ｎのオフ時に、バッファアンプ３０２−１乃至３０２−Ｎがフローティング状態になることが防止される。
【０１５８】
なお、バッファアンプ３０２−１乃至３０２−Ｎ、及び、コンデンサＣｓ１乃至ＣｓＮは、削除することが可能である。バッファアンプ３０２−１乃至３０２−Ｎ、及び、コンデンサＣｓ１乃至ＣｓＮを設けるか否かは、例えば、要求される画素信号の精度により決定される。
【０１５９】
＜５．第４の実施の形態＞
次に、図９を参照して、本技術の第４の実施の形態について説明する。
【０１６０】
｛電源ノイズキャンセル部３１の第４の実施の形態｝
図９は、図１の電源ノイズキャンセル部３１の第４の実施の形態である電源ノイズキャンセル部３１ｄの構成例を示している。なお、図中、図７と対応する部分には同じ符号を付してある。また、図９では、図を見やすくするために、１つの単位画素５１、サンプルアンドホールド部１５ｄ（不図示）に含まれるサンプルアンドホールド回路７１ｃ−１乃至７１ｃ−Ｎ、並びに、電源ノイズ検出部１４ｄのみを図示している。また、図を見やすくために、一部の符号の図示を省略している。なお、以下、サンプルアンドホールド回路７１ｃ−ｉ（ｉ＝１乃至Ｎ）の各部の符号は、図４のサンプルアンドホールド回路７１ｂの対応する各部の符号の末尾に”ｉ”又は”−ｉ”（ｉ＝１乃至Ｎ）を付したものとする。
【０１６１】
電源ノイズキャンセル部３１ｄは、図７の電源ノイズキャンセル部３１ｃと比較して、電源ノイズ検出部１４ｃ及びサンプルアンドホールド部１５ｃの代わりに、電源ノイズ検出部１４ｄ及びサンプルアンドホールド部１５ｄ（不図示）が設けられている点が異なる。サンプルアンドホールド部１５ｄは、複数のサンプルアンドホールド回路７１ｃにより構成される。
【０１６２】
電源ノイズ検出部１４ｄは、電源ノイズ検出部１４ｃと比較して、電源ノイズ検出回路１５１ａの代わりに、図６の電源ノイズ検出回路１５１ｂが設けられ、スイッチ４０１−１乃至スイッチ４０１−Ｎが追加されている点が異なる。
【０１６３】
電源ノイズ検出回路１５１ｂのキャンセル信号の出力部は、スイッチ３０１−１乃至３０１−Ｎを介して、バッファアンプ３０２−１乃至３０２−ｎの入力に接続されている。また、電源ノイズ検出回路１５１ｂの参照信号の出力部は、スイッチ４０１−１乃至４０１−Ｎを介して、コンデンサＣｓ１乃至ＣｓＮとバッファアンプ３０２−１乃至３０２−ｎの入力との間に接続されている。
【０１６４】
サンプルアンドホールド回路７１ｃ−１乃至７１ｃ−Ｎは、図５のサンプルアンドホールド回路７１ｂからスイッチ１０２及びスイッチ２０１を削除した構成を有している。
【０１６５】
そして、電源ノイズ検出部１４ｄのバッファアンプ３０２−１乃至３０２−Ｎの出力は、それぞれサンプルアンドホールド回路７１ｃ−１乃至７１ｃ−ＮのコンデンサＣｐｓｒ１乃至ＣｐｓｒＮの一端に接続されている。垂直信号線１９は、サンプルアンドホールド回路７１ａ−１乃至７１ａ−Ｎのスイッチ１０１−１乃至１０１−Ｎに接続されている。
【０１６６】
スイッチ４０１−ｉ（ｉ＝１乃至Ｎ）は、それぞれ、タイミング制御回路１２から供給されるホールド信号ｐｈ＿ｈｉがオンのときオンし、ホールド信号ｐｈ＿ｈｉがオフのときオフする。
【０１６７】
なお、以下、サンプルアンドホールド回路７１ｃ−１乃至７１ｃ−Ｎを個々に区別する必要がない場合、単にサンプルアンドホールド回路７１ｃと称する。
【０１６８】
｛電源ノイズキャンセル部３１ｄの動作｝
次に、電源ノイズキャンセル部３１ｄの動作について説明する。電源ノイズキャンセル部３１ｄは、先に示した図８のタイミングチャートに従って動作する。
【０１６９】
まず、サンプル信号Ｐｈ＿ｓ１及びサンプル信号ｐｈ＿ｓａ１がオンし、サンプルアンドホールド回路７１ｃ−１のスイッチ１０１−１及び１０５−１、並びに、スイッチ３０１−１がオンし、サンプル期間１が開始する。これにより、１行目の単位画素５１の画素信号が、スイッチ１０１−１を介して、サンプルアンドホールド回路７１ｃ−１のサンプリング容量Ｃｖｓｌ１に供給され、サンプリング容量Ｃｖｓｌ１が充電される。また、電源ノイズ検出回路１５１ｂのキャンセル信号が、スイッチ３０１−１、及び、バッファアンプ３０２−１を介して、サンプルアンドホールド回路７１ｃ−１のサンプリング容量Ｃｐｓｒ１に供給され、サンプリング容量Ｃｐｓｒ１が充電される。
【０１７０】
そして、サンプル信号Ｐｈ＿ｓａ１がオフし、スイッチ１０５−１がオフした後、サンプル信号Ｐｈ＿ｓ１がオフし、スイッチ１０１−１及び３０１−１がオフし、サンプル期間１が終了する。
【０１７１】
次に、ホールド信号ｐｈ＿ｈ１がオンし、サンプルアンドホールド回路７１ｃ−１のスイッチ１０４−１、及び、スイッチ４０１−１がオンし、ホールド期間１が開始する。これにより、上述したように、１行目の単位画素５１の画素信号から電源ノイズ成分を除去した電圧ＶｏｕｔＢ１が、サンプルアンドホールド回路７１ｃ−１から出力される。
【０１７２】
また、ホールド信号ｐｈ＿ｈ１がオンするのと同時に、サンプル信号Ｐｈ＿ｓ２及びサンプル信号ｐｈ＿ｓａ２がオンし、サンプルアンドホールド回路７１ｃ−２のスイッチ１０１−２及び１０５−２、並びに、スイッチ３０１−２がオンし、サンプル期間２が開始する。これにより、２行目の単位画素５１の画素信号が、スイッチ１０１−２を介して、サンプルアンドホールド回路７１ｃ−２のサンプリング容量Ｃｖｓｌ２に供給され、サンプリング容量Ｃｖｓｌ２が充電される。また、電源ノイズ検出回路１５１ｂのキャンセル信号が、スイッチ３０１−２、及び、バッファアンプ３０２−２を介して、サンプルアンドホールド回路７１ｃ−２のサンプリング容量Ｃｐｓｒ２に供給され、サンプリング容量Ｃｐｓｒ２が充電される。
【０１７３】
このように、１行目の単位画素５１の画素信号のホールド処理と、２行目の単位画素５１のサンプル処理とが並行に実行される。
【０１７４】
そして、ホールド信号ｐｈ＿ｈ１がオフし、スイッチ１０４−１及び４０１−１がオフし、ホールド期間１が終了する。また、サンプル信号Ｐｈ＿ｓａ２がオフし、スイッチ１０５−２がオフした後、サンプル信号Ｐｈ＿ｓ２がオフし、スイッチ１０１−２及び３０１−２がオフし、サンプル期間２が終了する。
【０１７５】
次に、ホールド信号ｐｈ＿ｈ２がオンし、サンプルアンドホールド回路７１ｃ−２のスイッチ１０４−２、及び、スイッチ４０１−２がオンし、ホールド期間２が開始する。これにより、上述したように、２行目の単位画素５１の画素信号から電源ノイズ成分を除去した電圧ＶｏｕｔＢ２が、サンプルアンドホールド回路７１ｃ−２から出力される。
【０１７６】
また、ホールド信号ｐｈ＿ｈ２がオンするのと同時に、サンプル信号Ｐｈ＿ｓ３及びサンプル信号ｐｈ＿ｓａ３がオンし、サンプルアンドホールド回路７１ｃ−３のスイッチ１０１−３及び１０５−３、並びに、スイッチ３０１−３がオンし、サンプル期間３が開始する。これにより、３行目の単位画素５１の画素信号が、スイッチ１０１−３を介して、サンプルアンドホールド回路７１ｃ−３のサンプリング容量Ｃｖｓｌ３に供給され、サンプリング容量Ｃｖｓｌ３が充電される。また、電源ノイズ検出回路１５１ｂのキャンセル信号が、スイッチ３０１−３、及び、バッファアンプ３０２−３を介して、サンプルアンドホールド回路７１ｃ−３のサンプリング容量Ｃｐｓｒ３に供給され、サンプリング容量Ｃｐｓｒ３が充電される。
【０１７７】
このように、２行目の単位画素５１の画素信号のホールド処理と、３行目の単位画素５１のサンプル処理とが並行に実行される。
【０１７８】
そして、ホールド信号ｐｈ＿ｈ２がオフし、スイッチ１０４−２及び４０１−２がオフし、ホールド期間２が終了する。また、サンプル信号Ｐｈ＿ｓａ３がオフし、スイッチ１０５−３がオフした後、サンプル信号Ｐｈ＿ｓ３がオフし、スイッチ１０１−３及び３０１−３がオフし、サンプル期間３が終了する。
【０１７９】
以下、同様にして、ｉ−１行目の単位画素５１の画素信号のホールド期間ｉ−１とｉ行目の単位画素５１の画素信号のサンプル期間ｉ（ｉ＝２乃至Ｎ）とが並行して実行される。また、Ｎ−１行目の単位画素５１の画素信号のホールド期間Ｎ−１及びＮ行目の単位画素５１の画素信号のサンプル期間Ｎが終了した後、Ｎ行目の単位画素５１の画素信号のホールド期間Ｎと１行目の単位画素５１の画素信号のサンプル期間１とが並行して実行され、その後、ｉ−１行目の単位画素５１の画素信号のホールド期間ｉ−１とｉ行目の単位画素５１の画素信号のサンプル期間ｉとが並行して実行される。
【０１８０】
このように、サンプル期間とホールド期間とを並行して実行することにより、サンプルアンドホールド処理を高速化することができる。
【０１８１】
ここで、バッファアンプ３０２−１乃至３０２−Ｎを設けることにより、電源ノイズ検出回路１５１ｂと各サンプルアンドホールド回路７１ｃとの間のアイソレーションが確保される。また、コンデンサＣｓ１乃至ＣｓＮを設けることにより、スイッチ３０１−１乃至３０１−Ｎ及びスイッチ４０１−１乃至４０１−Ｎのオフ時に、バッファアンプ３０２−１乃至３０２−Ｎがフローティング状態になることが防止される。
【０１８２】
なお、バッファアンプ３０２−１乃至３０２−Ｎ、及び、コンデンサＣｓ１乃至ＣｓＮは、削除することが可能である。バッファアンプ３０２−１乃至３０２−Ｎ、及び、コンデンサＣｓ１乃至ＣｓＮを設けるか否かは、例えば、要求される画素信号の精度により決定される。
【０１８３】
＜６．第５の実施の形態＞
次に、図１０及び図１１を参照して、本技術の第５の実施の形態について説明する。第５の実施の形態では、画素信号のリセット電位とイメージ信号電位に対して、それぞれ図２のサンプルアンドホールド回路７１ａが適用され、ＣＤＳ（Correlated Double Sampling：相関二重サンプリング）が行われる。
【０１８４】
｛電源ノイズキャンセル部３１の第５の実施の形態｝
図１０は、図１の電源ノイズキャンセル部３１の第５の実施の形態である電源ノイズキャンセル部３１ｅの構成例を示している。なお、図中、図２及び図４と対応する部分には同じ符号を付してある。また、図１０では、図を見やすくするために、１つの単位画素５１、サンプルアンドホールド部１５ｅ（不図示）に含まれるサンプルアンドホールド回路７１ａ−１及び７１ａ−２、並びに、電源ノイズ検出部１４ｅのみを図示している。また、図を見やすくするために、一部の符号の図示を省略している。なお、以下、サンプルアンドホールド回路７１ａ−ｉ（ｉ＝１又は２）の各部の符号は、図２のサンプルアンドホールド回路７１ａの各部の符号の末尾に”ｉ”又は”−ｉ”を付したものとする。
【０１８５】
電源ノイズキャンセル部３１ｅは、図１の電源ノイズ検出部１４の第５の実施の形態である電源ノイズ検出部１４ｅ、及び、図１のサンプルアンドホールド部１５の第５の実施の形態であるサンプルアンドホールド部１５ｅ（不図示）により構成される。サンプルアンドホールド部１５ｅは、複数のサンプルアンドホールド回路７１ａ（図２）により構成される。
【０１８６】
電源ノイズ検出部１４ｅは、図４の電源ノイズ検出部１４ａと比較して、スイッチ５０１、バッファアンプ５０２−１、及び、コンデンサＣｓｄが追加され、バッファアンプ１５２が設けられていない点が異なる。
【０１８７】
バッファアンプ５０２の入力は、スイッチ５０１を介して、電源ノイズ検出回路１５１ａの出力に接続されている。コンデンサＣｓｄの一端は、スイッチ５０１とバッファアンプ５０２の間に接続され、コンデンサＣｓｄの他端は接地されている。バッファアンプ５０２の出力は、サンプルアンドホールド回路７１ａ−１及び７１ａ−２のスイッチ１０２−１及び１０２−２に接続されている。垂直信号線１９は、サンプルアンドホールド回路７１ａ−１及び７１ａ−２のスイッチ１０１−１及び１０１−２に接続されている。
【０１８８】
スイッチ１０１−ｉ及び１０２−ｉ（ｉ＝１又は２）は、それぞれ、タイミング制御回路１２から供給されるサンプル信号ｐｈ＿ｓｉがオンのときオンし、サンプル信号ｐｈ＿ｓｉがオフのときオフする。
【０１８９】
スイッチ１０３−ｉ及び１０４−ｉ（ｉ＝１又は２）は、それぞれ、タイミング制御回路１２から供給されるホールド信号ｐｈ＿ｈｉがオンのときオンし、ホールド信号ｐｈ＿ｈｉがオフのときオフする。
【０１９０】
スイッチ１０５−ｉ（ｉ＝１又は２）は、それぞれ、タイミング制御回路１２から供給されるサンプル信号ｐｈ＿ｓａｉがオンのときオンし、サンプル信号ｐｈ＿ｓａｉがオフのときオフする。
【０１９１】
スイッチ５０１は、タイミング制御回路１２から供給されるサンプル信号ｐｈ＿ｓｄがオンのときオンし、サンプル信号ｐｈ＿ｓｄがオフのときオフする。
【０１９２】
｛電源ノイズキャンセル部３１ｅの動作｝
次に、図１１のタイミングチャートを参照して、電源ノイズキャンセル部３１ｅの動作について説明する。図１１は、サンプル信号ｐｈ＿ｓ１及びｐｈ＿ｓ２、サンプル信号ｐｈ＿ｓａ１及びｐｈ＿ｓａ２、ホールド信号ｐｈ＿ｈ１及びｐｈ＿ｈ２、並びに、サンプル信号ｐｈ＿ｓｄのタイミングチャートを示している。
【０１９３】
まず、単位画素５１の画素信号がリセット電位のときに、サンプル信号Ｐｈ＿ｓ１及びサンプル信号ｐｈ＿ｓａ１がオンし、サンプルアンドホールド回路７１ａ−１のスイッチ１０１−１、１０２−１及び１０５−１がオンする。また、サンプル信号ｐｈ＿ｓｄがオンし、スイッチ５０１がオンする。これにより、リセット電位の画素信号（以下、リセット信号と称する）のサンプル期間が開始する。
【０１９４】
そして、単位画素５１のリセット信号が、スイッチ１０１−１を介して、サンプルアンドホールド回路７１ａ−１のサンプリング容量Ｃｖｓｌ１に供給され、サンプリング容量Ｃｖｓｌ１が充電される。また、電源ノイズ検出回路１５１ａのキャンセル信号が、スイッチ５０１、バッファアンプ５０２、及び、スイッチ１０２−１を介して、サンプルアンドホールド回路７１ａ−１のサンプリング容量Ｃｐｓｒ１に供給され、サンプリング容量Ｃｐｓｒ１が充電される。
【０１９５】
そして、サンプル信号Ｐｈ＿ｓａ１がオフし、スイッチ１０５−１がオフした後、サンプル信号Ｐｈ＿ｓ１がオフし、スイッチ１０１−１及び１０２−１がオフし、リセット信号のサンプル期間が終了する。
【０１９６】
次に、単位画素５１の画素信号がイメージ信号電位のときに、サンプル信号Ｐｈ＿ｓ２及びサンプル信号ｐｈ＿ｓａ２がオンし、サンプルアンドホールド回路７１ａ−２のスイッチ１０１−２、１０２−２及び１０５−２がオンする。これにより、イメージ信号電位の画素信号（以下、イメージ信号と称する）のサンプル期間が開始する。
【０１９７】
そして、単位画素５１のイメージ信号が、スイッチ１０１−２を介して、サンプルアンドホールド回路７１ａ−２のサンプリング容量Ｃｖｓｌ２に供給され、サンプリング容量Ｃｖｓｌ２が充電される。また、電源ノイズ検出回路１５１ａのキャンセル信号が、スイッチ５０１、バッファアンプ５０２、及び、スイッチ１０２−２を介して、サンプルアンドホールド回路７１ａ−２のサンプリング容量Ｃｐｓｒ２に供給され、サンプリング容量Ｃｐｓｒ２が充電される。
【０１９８】
また、サンプル信号Ｐｈ＿ｓ２及びサンプル信号ｐｈ＿ｓａ２がオンするのと同時に、ホールド信号ｐｈ＿ｈ１がオンし、サンプルアンドホールド回路７１ａ−１のスイッチ１０３−１及び１０４−１がオンし、リセット信号のホールド期間が開始する。これにより、上述したように、単位画素５１のリセット信号から電源ノイズ成分を除去した電圧Ｖｏｕｔ＿ｒｓｔが、サンプルアンドホールド回路７１ａ−１から出力される。
【０１９９】
そして、サンプル信号Ｐｈ＿ｓａ２がオフし、スイッチ１０５−２がオフした後、サンプル信号Ｐｈ＿ｓ２がオフし、スイッチ１０１−２及び１０２−２がオフし、イメージ信号のサンプル期間が終了する。
【０２００】
また、サンプル信号ｐｈ＿ｓ２がオフしたとき、サンプル信号ｐｈ＿ｓｄがオフし、スイッチ５０１がオフする。
【０２０１】
次に、ホールド信号ｐｈ＿ｈ２がオンし、サンプルアンドホールド回路７１ａ−２のスイッチ１０３−２及び１０４−２がオンし、イメージ信号のホールド期間が開始する。これにより、上述したように、単位画素５１のイメージ信号から電源ノイズ成分を除去した電圧Ｖｏｕｔ＿ｓｉｇが、サンプルアンドホールド回路７１ａ−２から出力される。
【０２０２】
そして、例えば、Ａ／Ｄ変換部１６で、リセット電圧Ｖｏｕｔ＿ｒｓｔ−イメージ電圧Ｖｏｕｔ＿ｓｉｇを算出することにより、リセットノイズや画素内の増幅トランジスタの閾値ばらつき等の画素固有の固定パターンノイズが画素信号から除去される。
【０２０３】
その後、ホールド信号ｐｈ１及びｐｈ２がオフし、スイッチ１０３−１、１０３−２、１０４−１及び１０４−２がオフし、リセット信号及びイメージ信号のホールド期間が終了する。
【０２０４】
なお、サンプル信号ｐｈ＿ｓｄは、サンプル信号ｐｈ＿ｓ２のオフと同時、或いは、サンプル信号ｐｈ＿ｓ２がオフした後からホールド信号ｐｈ＿ｈ２がオンする前までの間に、オフする必要がある。これは、ホールド信号ｐｈ＿ｈ１及びｐｈ＿ｈ２が両方ともオンし、サンプルアンドホールド回路７１ａ−１及び７１ａ−２から電源ノイズ成分が除去された信号が出力されている最中に、電源ノイズ検出回路１５１ａから寄生容量等を介してキャンセル信号が漏れこむことを防止するためである。この漏れこみが気にならない場合は、サンプル信号ｐｈ＿ｓｄをオンしたままでもよい。
【０２０５】
＜７．第６の実施の形態＞
次に、図１２及び図１３を参照して、本技術の第６の実施の形態について説明する。第６の実施の形態では、画素信号のリセット電位とイメージ信号電位に対して、それぞれ図９のサンプルアンドホールド回路７１ｃが適用され、ＣＤＳ（Correlated Double Sampling：相関二重サンプリング）が行われる。
【０２０６】
｛電源ノイズキャンセル部３１の第６の実施の形態｝
図１２は、図１の電源ノイズキャンセル部３１の第６の実施の形態である電源ノイズキャンセル部３１ｆの構成例を示している。なお、図中、図１０と対応する部分には同じ符号を付してある。また、図１２では、図を見やすくするために、１つの単位画素５１、サンプルアンドホールド部１５ｆ（不図示）に含まれるサンプルアンドホールド回路７１ｃ−１及び７１ｃ−２、並びに、電源ノイズ検出部１４ｆのみを図示している。また、図を見やすくするために、一部の符号の図示を省略している。なお、以下、サンプルアンドホールド回路７１ｃ−ｉ（ｉ＝１又は２）の各部の符号は、図５のサンプルアンドホールド回路７１ｂの対応する各部の符号の末尾に”ｉ”又は”−ｉ”を付したものとする。
【０２０７】
電源ノイズキャンセル部３１ｆは、図１の電源ノイズ検出部１４の第６の実施の形態である電源ノイズ検出部１４ｆ、及び、図１のサンプルアンドホールド部１５の第６の実施の形態であるサンプルアンドホールド部１５ｆ（不図示）により構成される。サンプルアンドホールド部１５ｆは、複数のサンプルアンドホールド回路７１ｃ（図９）により構成される。
【０２０８】
電源ノイズ検出部１４ｆは、図１０の電源ノイズ検出部１４ｅと比較して、スイッチ６０１が追加され、電源ノイズ検出回路１５１ａの代わりに、図６の電源ノイズ検出回路１５１ｂが設けられている点が異なる。
【０２０９】
電源ノイズ検出回路１５１ｂのキャンセル信号の出力部は、スイッチ５０１を介して、バッファアンプ５０２の入力に接続されている。また、電源ノイズ検出回路１５１ｂのバイアス電圧の出力部は、スイッチ６０１を介して、コンデンサＣｓｄとバッファアンプ５０２の入力との間に接続されている。
【０２１０】
バッファアンプ５０２の出力は、サンプルアンドホールド回路７１ｃ−１及び７１ｃ−２のサンプリング容量Ｃｐｓｒ１及びＣｐｓｒ２に接続されている。垂直信号線１９は、サンプルアンドホールド回路７１ｃ−１及び７１ｃ−２のスイッチ１０１−１及び１０１−２に接続されている。
【０２１１】
スイッチ１０１−ｉ（ｉ＝１又は２）は、それぞれ、タイミング制御回路１２から供給されるサンプル信号ｐｈ＿ｓｉがオンのときオンし、サンプル信号ｐｈ＿ｓｉがオフのときオフする。
【０２１２】
スイッチ１０４−ｉ（ｉ＝１又は２）は、それぞれ、タイミング制御回路１２から供給されるホールド信号ｐｈ＿ｈｉがオンのときオンし、ホールド信号ｐｈ＿ｈｉがオフのときオフする。
【０２１３】
スイッチ１０５−ｉ（ｉ＝１又は２）は、それぞれ、タイミング制御回路１２から供給されるサンプル信号ｐｈ＿ｓａｉがオンのときオンし、サンプル信号ｐｈ＿ｓａｉがオフのときオフする。
【０２１４】
スイッチ５０１は、タイミング制御回路１２から供給されるサンプル信号ｐｈ＿ｓｄがオンのときオンし、サンプル信号ｐｈ＿ｓｄがオフのときオフする。
【０２１５】
スイッチ６０１は、タイミング制御回路１２から供給されるホールド信号ｐｈ＿ｈｄがオンのときオンし、ホールド信号ｐｈ＿ｈｄがオフのときオフする。
【０２１６】
｛電源ノイズキャンセル部３１ｆの動作｝
次に、図１３のタイミングチャートを参照して、電源ノイズキャンセル部３１ｆの動作について説明する。図１３は、サンプル信号ｐｈ＿ｓ１及びｐｈ＿ｓ２、サンプル信号ｐｈ＿ｓａ１及びｐｈ＿ｓａ２、ホールド信号ｐｈ＿ｈ１及びｐｈ＿ｈ２、サンプル信号ｐｈ＿ｓｄ、並びに、ホールド信号ｐｈ＿ｈｄのタイミングチャートを示している。
【０２１７】
まず、単位画素５１の画素信号がリセット電位のときに、サンプル信号Ｐｈ＿ｓ１及びサンプル信号ｐｈ＿ｓａ１がオンし、サンプルアンドホールド回路７１ｃ−１のスイッチ１０１−１及び１０５−１がオンする。また、サンプル信号ｐｈ＿ｓｄがオンし、スイッチ５０１がオンする。これにより、リセット信号のサンプル期間が開始する。
【０２１８】
そして、単位画素５１のリセット信号が、スイッチ１０１−１を介して、サンプルアンドホールド回路７１ｃ−１のサンプリング容量Ｃｖｓｌ１に供給され、サンプリング容量Ｃｖｓｌ１が充電される。また、電源ノイズ検出回路１５１ｂのキャンセル信号が、スイッチ５０１及びバッファアンプ５０２を介して、サンプルアンドホールド回路７１ｃ−１のサンプリング容量Ｃｐｓｒ１に供給され、サンプリング容量Ｃｐｓｒ１が充電される。
【０２１９】
そして、サンプル信号Ｐｈ＿ｓａ１がオフし、スイッチ１０５−１がオフした後、サンプル信号Ｐｈ＿ｓ１がオフし、スイッチ１０１−１がオフし、リセット信号のサンプル期間が終了する。
【０２２０】
次に、単位画素５１の画素信号がイメージ信号電位のときに、サンプル信号Ｐｈ＿ｓ２及びサンプル信号ｐｈ＿ｓａ２がオンし、サンプルアンドホールド回路７１ｃ−２のスイッチ１０１−２及び１０５−２がオンする。これにより、イメージ信号のサンプル期間が開始する。
【０２２１】
そして、単位画素５１のイメージ信号が、スイッチ１０１−２を介して、サンプルアンドホールド回路７１ｃ−２のサンプリング容量Ｃｖｓｌ１に供給され、サンプリング容量Ｃｖｓｌ２が充電される。また、電源ノイズ検出回路１５１ｂのキャンセル信号が、スイッチ５０１及びバッファアンプ５０２を介して、サンプルアンドホールド回路７１ｃ−２のサンプリング容量Ｃｐｓｒ２に供給され、サンプリング容量Ｃｐｓｒ２が充電される。
【０２２２】
また、サンプル信号Ｐｈ＿ｓ２及びサンプル信号ｐｈ＿ｓａ２がオンするのと同時に、ホールド信号ｐｈ＿ｈ１がオンし、サンプルアンドホールド回路７１ｃ−１のスイッチ１０４−１がオンし、リセット信号のホールド期間が開始する。
【０２２３】
そして、サンプル信号Ｐｈ＿ｓａ２がオフし、スイッチ１０５−２がオフした後、サンプル信号Ｐｈ＿ｓ２がオフし、スイッチ１０１−２がオフし、イメージ信号のサンプル期間が終了する。
【０２２４】
また、サンプル信号ｐｈ＿ｓ２がオフしたとき、サンプル信号ｐｈ＿ｓｄがオフし、スイッチ５０１がオフする。
【０２２５】
次に、ホールド信号ｐｈ＿ｈ２がオンし、サンプルアンドホールド回路７１ｃ−２のスイッチ１０４−２がオンし、イメージ信号のホールド期間が開始する。また、ホールド信号ｐｈ＿ｈ２と同時に、ホールド信号ｐｈ＿ｈｄがオンし、スイッチ６０１がオンする。
【０２２６】
これにより、上述したように、単位画素５１のリセット信号から電源ノイズ成分を除去した電圧Ｖｏｕｔ＿ｒｓｔが、サンプルアンドホールド回路７１ｃ−１から出力される。また、上述したように、単位画素５１のイメージ信号から電源ノイズ成分を除去した電圧Ｖｏｕｔ＿ｓｉｇが、サンプルアンドホールド回路７１ｃ−２から出力される。
【０２２７】
そして、例えば、Ａ／Ｄ変換部１６で、リセット電圧Ｖｏｕｔ＿ｒｓｔ−イメージ電圧Ｖｏｕｔ＿ｓｉｇを算出することにより、リセットノイズや画素内の増幅トランジスタの閾値ばらつき等の画素固有の固定パターンノイズが画素信号から除去される。
【０２２８】
その後、ホールド信号ｐｈ１、ｐｈ２及びｐｈ＿ｈｄがオフし、スイッチ１０３−１、１０３−２、１０４−１、１０４−２及びスイッチ６０１がオフし、リセット信号及びイメージ信号のホールド期間が終了する。
【０２２９】
なお、サンプル信号ｐｈ＿ｓｄは、サンプル信号ｐｈ＿ｓ２のオフと同時、或いは、サンプル信号ｐｈ＿ｓ２がオフした後からホールド信号ｐｈ＿ｈ２がオンする前までの間に、オフする必要がある。これは、ホールド信号ｐｈ＿ｈ１及びｐｈ＿ｈ２が両方ともオンし、サンプル信号ｐｈ＿ｓｄをオフし、ホールド信号ｐｈ＿ｈｄをオンすることで初めて、サンプルアンドホールド回路７１ｃ−１及び７１ｃ−２から電源ノイズがキャンセルされた信号が出力されるためである。
【０２３０】
＜８．変形例＞
上記実施形態では、単位画素が行列状に配置されてなるＣＭＯＳイメージセンサに適用した場合を例に挙げて説明したが、本技術はＣＭＯＳイメージセンサへの適用に限られるものではない。すなわち、本技術は、単位画素が行列状に２次元配置されてなるＸ−Ｙアドレス方式の固体撮像装置全般に対して適用可能である。
【０２３１】
また、固体撮像装置はワンチップとして形成された形態であってもよいし、撮像部と、信号処理部または光学系とがまとめてパッケージングされた撮像機能を有するモジュール状の形態であってもよい。
【０２３２】
さらに、本技術の適用範囲は、固体撮像装置やＡ／Ｄ変換を行う回路に限定されるものではなく、シングルエンド信号のサンプリング及びホールドを行うサンプルアンドホールド回路全般の電源ノイズ対策に本技術を適用することができる。
【０２３３】
＜９．電子機器への適用例＞
上述した固体撮像装置（例えば、ＣＭＯＳイメージセンサ１０）は、デジタルスチルカメラやビデオカメラ等の撮像装置や、撮像機能を有する携帯端末装置や、画像読取部に固体撮像装置を用いる複写機など、画像取込部（光電変換部）に固体撮像装置を用いる電子機器に組み込んだ形で使用することが可能である。
【０２３４】
図１４は、本技術を適用した電子機器としての、撮像装置の構成例を示すブロック図である。
【０２３５】
図１４の撮像装置８００は、カメラモジュール８０２、およびカメラ信号処理回路であるＤＳＰ(Digital Signal Processor)回路８０３を備える。また、撮像装置８００は、フレームメモリ８０４、表示部８０５、記録部８０６、操作部８０７、および電源部８０８も備える。ＤＳＰ回路８０３、フレームメモリ８０４、表示部８０５、記録部８０６、操作部８０７および電源部８０８は、バスライン８０９を介して相互に接続されている。
【０２３６】
カメラモジュール８０２内のイメージセンサ８０１は、被写体からの入射光（像光）を取り込んで撮像面上に結像された入射光の光量を画素単位で電気信号に変換して画素信号として出力する。例えば、このイメージセンサ８０１に、上述した固体撮像装置を採用することができる。
【０２３７】
表示部８０５は、例えば、液晶パネルや有機ＥＬ(Electro Luminescence)パネル等のパネル型表示装置からなり、イメージセンサ８０１で撮像された動画または静止画を表示する。記録部８０６は、イメージセンサ８０１で撮像された動画または静止画を、ハードディスクや半導体メモリ等の記録媒体に記録する。
【０２３８】
操作部８０７は、ユーザによる操作の下に、撮像装置８００が持つ様々な機能について操作指令を発する。電源部８０８は、ＤＳＰ回路８０３、フレームメモリ８０４、表示部８０５、記録部８０６および操作部８０７の動作電源となる各種の電源を、これら供給対象に対して適宜供給する。
【０２３９】
上述したように、イメージセンサ８０１として上述した固体撮像装置を用いることにより、消費電力及び回路規模の増大を抑制しつつ、電源ノイズの少ない高画質の画像を得ることができる。
【０２４０】
＜１０．固体撮像装置の使用例＞
図１５は、上述した固体撮像装置を使用する使用例を示す図である。
【０２４１】
上述した固体撮像装置は、例えば、以下のように、可視光や、赤外光、紫外光、X線等の光をセンシングする様々なケースに使用することができる。
【０２４２】
・ディジタルカメラや、カメラ機能付きの携帯機器等の、鑑賞の用に供される画像を撮影する装置
・自動停止等の安全運転や、運転者の状態の認識等のために、自動車の前方や後方、周囲、車内等を撮影する車載用センサ、走行車両や道路を監視する監視カメラ、車両間等の測距を行う測距センサ等の、交通の用に供される装置
・ユーザのジェスチャを撮影して、そのジェスチャに従った機器操作を行うために、TVや、冷蔵庫、エアーコンディショナ等の家電に供される装置
・内視鏡や、赤外光の受光による血管撮影を行う装置等の、医療やヘルスケアの用に供される装置
・防犯用途の監視カメラや、人物認証用途のカメラ等の、セキュリティの用に供される装置
・肌を撮影する肌測定器や、頭皮を撮影するマイクロスコープ等の、美容の用に供される装置
・スポーツ用途等向けのアクションカメラやウェアラブルカメラ等の、スポーツの用に供される装置
・畑や作物の状態を監視するためのカメラ等の、農業の用に供される装置
【０２４３】
本技術の実施の形態は、上述した実施の形態に限定されるものではなく、本技術の要旨を逸脱しない範囲において種々の変更が可能である。
【０２４４】
例えば、本技術は、可視光の入射光量の分布を検知して画像として撮像する固体撮像装置への適用に限らず、赤外線やＸ線、あるいは粒子等の入射量の分布を画像として撮像する固体撮像装置や、広義の意味として、圧力や静電容量など、他の物理量の分布を検知して画像として撮像する指紋検出センサ等の固体撮像装置（物理量分布検知装置）全般に対して適用可能である。
【０２４５】
例えば、上述した複数の実施の形態の全てまたは一部を組み合わせた形態を採用することができる。
【０２４６】
なお、本明細書に記載された効果はあくまで例示であって限定されるものではなく、本明細書に記載されたもの以外の効果があってもよい。
【０２４７】
なお、本技術は以下のような構成も取ることができる。
【０２４８】
（１）
光電変換を行う複数の単位画素が配置されている画素部と、
前記単位画素の駆動に用いる電源のノイズ成分を検出し、前記ノイズ成分をキャンセルするキャンセル成分を含むシングルエンドのキャンセル信号を出力する電源ノイズ検出部と、
前記単位画素から出力されるシングルエンドの画素信号をサンプリングし、前記キャンセル信号に基づいて、サンプリングした前記画素信号から前記ノイズ成分を除去した前記画素信号をホールドして出力するサンプルアンドホールド部と、
ホールドされた前記画素信号のＡ／Ｄ（Analog/Digital）変換を行うＡ／Ｄ変換部と
を備える固体撮像装置。
（２）
前記電源ノイズ検出部は、
前記画素信号に基づく電荷を蓄積する第１の電荷蓄積部と、
前記第１の電荷蓄積部と基準電位が共通であり、前記キャンセル信号に基づく電荷を蓄積する第２の電荷蓄積部と
を備える前記（１）に記載の固体撮像装置。
（３）
前記第２の電荷蓄積部は、前記画素信号のサンプル期間に、前記画素信号の前記ノイズ成分により前記第１の電荷蓄積部に蓄積される電荷であるノイズ電荷とほぼ同量の電荷であるキャンセル電荷を前記キャンセル信号の前記キャンセル成分により蓄積する
前記（２）に記載の固体撮像装置。
（４）
前記サンプルアンドホールド部は、前記サンプル期間に前記第１の電荷蓄積部に蓄積された前記ノイズ電荷と前記第２の電荷蓄積部に蓄積された前記キャンセル電荷を、前記画素信号のホールド期間に相殺する
前記（３）に記載の固体撮像装置。
（５）
前記キャンセル成分は、前記ノイズ成分を所定のゲインで増幅した成分であり、
前記第２の電荷蓄積部の容量が、前記ゲインに相当する分だけ前記第１の電荷蓄積部の容量より小さい
前記（２）乃至（４）のいずれかに記載の固体撮像装置。
（６）
前記キャンセル成分の位相は、前記ノイズ成分の位相を反転した位相である
前記（５）に記載の固体撮像装置。
（７）
前記電源ノイズ検出部は、前記ゲイン及び前記キャンセル成分の位相を調整する調整機構を
備える前記（６）に記載の固体撮像装置。
（８）
前記第２の電荷蓄積部の前記基準電位に設定される一端と異なる一端は、前記画素信号のサンプル期間にオンする第１のスイッチを介して、前記電源ノイズ検出部の出力に接続されるとともに、前記画素信号のホールド期間にオンする第２のスイッチを介して、前記第１の電荷蓄積部の前記基準電位に設定される一端と異なる一端に接続されている
前記（２）乃至（７）のいずれかに記載の固体撮像装置。
（９）
前記電源ノイズ検出部は、
前記キャンセル信号を出力する第１の出力と、
前記キャンセル信号のバイアス電圧を示すシングルエンドの参照信号を出力する第２の出力と
を備え、
前記第２の電荷蓄積部の前記基準電位に設定される一端と異なる一端は、前記画素信号のサンプル期間にオンする第１のスイッチを介して前記第１の出力に接続され、前記画素信号のホールド期間にオンする第２のスイッチを介して前記第２の出力に接続されている
前記（２）乃至（７）のいずれかに記載の固体撮像装置。
（１０）
光電変換を行う複数の単位画素の駆動に用いる電源のノイズ成分を検出し、前記ノイズ成分をキャンセルするキャンセル成分を含むシングルエンドのキャンセル信号を出力する電源ノイズ検出ステップと、
前記単位画素から出力されるシングルエンドの画素信号をサンプリングし、前記キャンセル信号に基づいて、サンプリングした前記画素信号から前記ノイズ成分を除去した前記画素信号をホールドして出力するサンプルアンドホールドステップと、
ホールドされた前記画素信号のＡ／Ｄ（Analog/Digital）変換を行うＡ／Ｄ変換ステップと
を含む固体撮像装置の駆動方法。
（１１）
光電変換を行う複数の単位画素が配置されている画素部と、
前記単位画素の駆動に用いる電源のノイズ成分を検出し、前記ノイズ成分をキャンセルするキャンセル成分を含むシングルエンドのキャンセル信号を出力する電源ノイズ検出部と、
前記単位画素から出力されるシングルエンドの画素信号をサンプリングし、前記キャンセル信号に基づいて、サンプリングした前記画素信号から前記ノイズ成分を除去した前記画素信号をホールドして出力するサンプルアンドホールド部と、
ホールドされた前記画素信号のＡ／Ｄ（Analog/Digital）変換を行うＡ／Ｄ変換部と
を備える固体撮像装置を
含む電子機器。
【符号の説明】
【０２４９】
１０  ＣＭＯＳイメージセンサ，  １１  画素部，  １２  タイミング制御回路，  １３  垂直走査回路，  １４  電源ノイズ検出部，  １５  サンプルアンドホールド部，  １６  Ａ／Ｄ変換部，  １７  水平走査回路，  １８  画素駆動線，  １９  垂直信号線，  ３１  電源ノイズキャンセル部，  ５１  単位画素，  ７１  サンプルアンドホールド回路，  １０１乃至１０５  スイッチ，  １０６乃至１１２  トランジスタ，  １５１  電源ノイズ検出回路，  ２０１  スイッチ，  ８００  イメージセンサ，  Ｃｖｓｌ，Ｃｐｓｒ  サンプリング容量，  Ｃａｄｖ，Ｃｄｌｙ  可変コンデンサ，  Ｃｄｉｖ  可変容量アレイ，  Ｃｃｐｌ，Ｃｂｉａｓ  コンデンサ，  Ｒｄｅｔ１，Ｒｄｅｔ２，Ｒｄｉｆ  可変抵抗素子，  ｍｐ１乃至ｍｐ９，ｍｎ１乃至ｍｎ５  トランジスタ
【図１】
2017030007.tif 000003
【図２】
2017030007.tif 000004
【図３】
2017030007.tif 000005
【図４】
2017030007.tif 000006
【図５】
2017030007.tif 000007
【図６】
2017030007.tif 000008
【図７】
2017030007.tif 000009
【図８】
2017030007.tif 000010
【図９】
2017030007.tif 000011
【図１０】
2017030007.tif 000012
【図１１】
2017030007.tif 000013
【図１２】
2017030007.tif 000014
【図１３】
2017030007.tif 000015
【図１４】
2017030007.tif 000016
【図１５】
2017030007.tif 000017
【国際調査報告】
2017030007.tif 000018
2017030007.tif 000019